(57)【特許請求の範囲】
【請求項１】
端末において基地局からＭＢＳ（Ｍｕｌｔｉｃａｓｔ  ａｎｄ  Ｂｒｏａｄｃａｓｔ  Ｓｅｒｖｉｃｅ）データを受信する方法であって、前記方法は、
前記基地局からＳ−ＳＦＨ（Ｓｅｃｏｎｄａｒｙ―Ｓｕｐｅｒ  Ｆｒａｍｅ  Ｈｅａｄｅｒ）のサブパケットを所定周期にしたがって受信することであって、前記サブパケットは、初期ネットワーク進入及びネットワーク発見と関連した情報を含む、ことと、
前記基地局から第１のＭＢＳ  ＭＡＰを受信することであって、前記第１のＭＢＳ  ＭＡＰは、前記Ｓ−ＳＦＨサブパケットが変更されたか否かを指示するＳ―ＳＦＨサブパケット更新指示子を含む、ことと
を含み、
前記Ｓ−ＳＦＨサブパケットが変更されたことを前記Ｓ―ＳＦＨサブパケット更新指示子が指示する場合、前記変更されたＳ−ＳＦＨサブパケットは、前記第１のＭＢＳ  ＭＡＰが伝送されるＭＳＩ（ＭＢＳ  Ｓｃｈｅｄｕｌｉｎｇ  Ｉｎｔｅｒｖａｌ）内で伝送される、方法。
【請求項２】
前記Ｓ―ＳＦＨサブパケット更新指示子が前記サブパケットの変更を指示する場合、
前記第１のＭＢＳ  ＭＡＰは、前記変更されたＳ−ＳＦＨサブパケットが伝送される時点を示す伝送時間オフセットフィールドを含む、請求項１に記載の方法。
【請求項３】
前記伝送時間オフセットフィールドは、無線フレーム構造で前記変更されたＳ−ＳＦＨサブパケットの前のサブパケットが伝送される時点に基づいて増減するスーパーフレームの個数の情報を含む、請求項２に記載の方法。
【請求項４】
前記伝送時間オフセットフィールドのビット数は前記ＭＳＩによって決定される、請求項２に記載の方法。
【請求項５】
前記端末が電力節約モードである場合、
前記伝送時間オフセット情報によって前記変更されたＳ−ＳＦＨサブパケットが伝送される時点でウェイクアップすることにより前記変更されたＳ−ＳＦＨサブパケットを受信することをさらに含み、
前記モードは遊休モード及び睡眠モードを含む、請求項２に記載の方法。
【請求項６】
前記変更されたＳ−ＳＦＨサブパケットに含まれたダウンリンクサブバンド及び周波数分割の情報に基づいてＭＢＳ資源領域を獲得することと、
前記獲得されたＭＢＳ資源領域から第２のＭＢＳ  ＭＡＰ及びＭＢＳバーストを受信することと
をさらに含む、請求項５に記載の方法。
【請求項７】
前記ダウンリンクサブバンド及び周波数分割の情報は、
ダウンリンクサブバンド割り当てカウント（ＤＳＡＣ）情報、ダウンリンク周波数分割設定（ＤＦＰＣ）情報及びダウンリンク周波数分割サブバンドカウント（ＤＦＰＳＣ）情報のうちの少なくとも一つを含む、請求項６に記載の方法。
【請求項８】
前記Ｓ―ＳＦＨは、互いに異なる時間に独立した伝送周期で伝送される第１のＳ―ＳＦＨサブパケット、第２のＳ―ＳＦＨサブパケット及び第３のＳ―ＳＦＨサブパケットを含み、
前記初期ネットワーク進入及びネットワーク発見と関連した情報を含むサブパケットは、前記ＭＢＳと関連した前記第２のサブパケットである、請求項１に記載の方法。
【請求項９】
基地局においてＭＢＳ（Ｍｕｌｔｉｃａｓｔ  ａｎｄ  Ｂｒｏａｄｃａｓｔ  Ｓｅｒｖｉｃｅ）データを伝送する方法であって、前記方法は、
Ｓ−ＳＦＨ（Ｓｅｃｏｎｄａｒｙ―Ｓｕｐｅｒ  Ｆｒａｍｅ  Ｈｅａｄｅｒ）のサブパケットを所定周期にしたがって端末に伝送することであって、前記サブパケットは、初期ネットワーク進入及びネットワーク発見と関連した情報を含む、ことと、
第１のＭＢＳ  ＭＡＰを前記端末に伝送することであって、前記第１のＭＢＳ  ＭＡＰは、前記Ｓ−ＳＦＨサブパケットが変更されたか否かを指示するＳ−ＳＦＨサブパケット更新指示子を含む、ことと
を含み、
前記Ｓ−ＳＦＨサブパケットが変更されたことを前記Ｓ―ＳＦＨサブパケット更新指示子が指示する場合、前記変更されたＳ−ＳＦＨサブパケットは、前記第１のＭＢＳ  ＭＡＰが伝送されるＭＳＩ（ＭＢＳ  Ｓｃｈｅｄｕｌｉｎｇ  Ｉｎｔｅｒｖａｌ）内で伝送される、方法。
【請求項１０】
前記Ｓ―ＳＦＨサブパケット更新指示子が前記サブパケットの変更を指示する場合、
前記第１のＭＢＳ  ＭＡＰは、前記変更されたＳ−ＳＦＨサブパケットが伝送される時点を示す伝送時間オフセットフィールドを含む、請求項９に記載の方法。
【請求項１１】
前記伝送時間オフセットフィールドは、無線フレーム構造で前記変更されたＳ−ＳＦＨサブパケットの前のサブパケットが伝送される時点に基づいて増減するスーパーフレームの個数の情報を含む、請求項１０に記載の方法。
【請求項１２】
前記伝送時間オフセットフィールドのビット数は前記ＭＳＩによって決定される、請求項１０に記載の方法。
【請求項１３】
前記変更されたＳ−ＳＦＨサブパケットを前記端末に伝送することと、
第２のＭＢＳ  ＭＡＰ及びＭＢＳバーストを前記端末に伝送することと
をさらに含む、請求項１０に記載の方法。
【請求項１４】
前記サブパケットは、ダウンリンクサブバンド及び周波数分割の情報をさらに含み、
前記ダウンリンクサブバンド及び周波数分割の情報は、ダウンリンクサブバンド割り当てカウント（ＤＳＡＣ）情報、ダウンリンク周波数分割設定（ＤＦＰＣ）情報、及びダウンリンク周波数分割サブバンドカウント（ＤＦＰＳＣ）情報のうちの少なくとも一つを含む、請求項９に記載の方法。
【請求項１５】
ＭＢＳ（Ｍｕｌｔｉｃａｓｔ  ａｎｄ  Ｂｒｏａｄｃａｓｔ  Ｓｅｒｖｉｃｅ）データを受信する端末であって、前記端末は、
無線信号を受信するための受信モジュールと、
前記端末の動作を制御するためのプロセッサと
を含み、
前記受信モジュールは、基地局から所定周期にしたがってＳ−ＳＦＨ（Ｓｅｃｏｎｄａｒｙ―Ｓｕｐｅｒ  Ｆｒａｍｅ  Ｈｅａｄｅｒ）のサブパケット及びＳ−ＳＦＨサブパケット更新指示子を含む第１のＭＢＳ  ＭＡＰを受信し、
前記サブパケットは、初期ネットワーク進入及びネットワーク発見と関連した情報を含み、
前記Ｓ−ＳＦＨサブパケットが変更されたことを前記Ｓ―ＳＦＨサブパケット更新指示子が指示する場合、前記変更されたＳ−ＳＦＨサブパケットは、前記第１のＭＢＳ  ＭＡＰが伝送されるＭＳＩ（ＭＢＳ  Ｓｃｈｅｄｕｌｉｎｇ  Ｉｎｔｅｒｖａｌ）内で伝送され、
前記プロセッサは、電力節約モードの前記端末を、前記Ｓ−ＳＦＨサブパケット更新指示子によって前記変更されたＳ−ＳＦＨサブパケットが伝送される時点で前記端末がウェイクアップし、前記変更されたＳ−ＳＦＨサブパケットを受信するように制御し、
前記モードは遊休モード及び睡眠モードを含む、端末。
【請求項１６】
ＭＢＳ（Ｍｕｌｔｉｃａｓｔ  ａｎｄ  Ｂｒｏａｄｃａｓｔ  Ｓｅｒｖｉｃｅ）データを伝送する基地局であって、前記基地局は、
無線信号を伝送するための伝送モジュールと、
Ｓ−ＳＦＨ（Ｓｅｃｏｎｄａｒｙ―Ｓｕｐｅｒ  Ｆｒａｍｅ  Ｈｅａｄｅｒ）のサブパケット、及び、Ｓ−ＳＦＨサブパケット更新指示子を含むＭＢＳ  ＭＡＰを生成するプロセッサであって、前記Ｓ−ＳＦＨサブパケット更新指示子は、前記Ｓ−ＳＦＨサブパケットが変更されたか否かを指示し、前記Ｓ−ＳＦＨサブパケットが変更されたことを前記Ｓ−ＳＦＨサブパケット更新指示子が指示する場合、前記変更されたＳ−ＳＦＨサブパケットは、前記ＭＢＳ  ＭＡＰが伝送されるＭＳＩ（ＭＢＳ  Ｓｃｈｅｄｕｌｉｎｇ  Ｉｎｔｅｒｖａｌ）内で伝送され、前記サブパケットは、初期ネットワーク進入及びネットワーク発見と関連した情報を含み、前記プロセッサは、前記伝送モジュールを通して所定周期にしたがって前記サブパケット及び前記ＭＢＳ  ＭＡＰを端末に伝送する、プロセッサと
を含む、基地局。
【発明の詳細な説明】
【技術分野】
【０００１】
本発明は、無線通信システムに関し、具体的には、無線通信システムでのマルチキャスト及びブロードキャストサービスデータのための資源割り当て方法及びそのための装置に関する。
【背景技術】
【０００２】
図１は、無線通信システムを例示する。
【０００３】
図１を参照すると、無線通信システム１００は、複数の基地局１１０及び複数の端末１２０を含む。無線通信システム１００は、同種ネットワーク又は異種ネットワークを含むことができる。ここで、異種ネットワークは、マクロセル、フェムトセル、ピコセル、中継器などのように互いに異なるネットワークエンティティが共存するネットワークを称する。
【０００４】
基地局は、一般に端末と通信する固定局であって、各基地局１１０ａ、１１０ｂ及び１１０ｃは、特定の地理的領域１０２ａ、１０２ｂ及び１０２ｃにサービスを提供する。システム性能を改善するために、前記特定領域は、複数のより小さい領域１０４ａ、１０４ｂ及び１０４ｃに分割することができる。それぞれのより小さい領域は、セル、セクター又はセグメントと称することができる。ＩＥＥＥ８０２．１６システムの場合、セル識別子（Ｃｅｌｌ  Ｉｄｅｎｔｉｔｙ；Ｃｅｌｌ＿ＩＤ又はＩＤＣｅｌｌ）は、全体のシステムを基準にして付与される。
【０００５】
一方、セクター又はセグメント識別子は、それぞれの基地局がサービスを提供する特定領域を基準にして付与され、０〜２の値を有する。端末１２０は、一般的に無線通信システムに分布され、固定又は移動可能である。各端末は、任意の瞬間にアップリンク（Ｕｐｌｉｎｋ；ＵＬ）及びダウンリンク（Ｄｏｗｎｌｉｎｋ；ＤＬ）を介して一つ以上の基地局と通信することができる。基地局と端末は、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＣＤＭＡ（Ｃｏｄｅ  Ｄｉｖｉｓｉｏｎ  Ｍｕｌｔｉｐｌｅ  Ａｃｃｅｓｓ）、ＳＣ―ＦＤＭＡ（Ｓｉｎｇｌｅ  Ｃａｒｒｉｅｒ―ＦＤＭＡ）、ＭＣ―ＦＤＭＡ（Ｍｕｌｔｉ  Ｃａｒｒｉｅｒ―ＦＤＭＡ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）又はこれらの組み合わせを用いて通信を行うことができる。本明細書において、アップリンクは端末から基地局への通信リンクを称し、ダウンリンクは基地局から端末への通信リンクを称する。
【発明の概要】
【発明が解決しようとする課題】
【０００６】
本発明の目的は、無線通信システムで効率的にマルチキャスト及びブロードキャストサービスを利用するために信号を伝送する方法及びそのための装置を提供することにある。
【０００７】
本発明の他の目的は、端末がマルチキャスト及びブロードキャストサービスと関連したスーパーフレームヘッダーを成功的に受信し、マルチキャスト及びブロードキャストサービスを利用することができる方法を提供することにある。
【０００８】
本発明の更に他の目的は、電力節約モードの端末が、変更されたスーパーフレームヘッダーが伝送される時点でウェイクアップし、変更されたスーパーフレームヘッダーを受信できるように予めスーパーフレームヘッダーの変更の有無を指示する情報を伝送する方法を提供することにある。
【０００９】
本発明で達成しようとする技術的課題は、以上言及した技術的課題に制限されず、言及していない他の技術的課題は、下記の記載から本発明の属する技術分野で通常の知識を有する者に明確に理解されるだろう。
【課題を解決するための手段】
【００１０】
上述した課題を解決するための本発明の一実施例に係る端末が基地局からマルチキャストブロードキャストサービスデータを受信する方法は、前記基地局から副スーパーフレームヘッダー（Ｓｅｃｏｎｄａｒｙ―Ｓｕｐｅｒ  Ｆｒａｍｅ  Ｈｅａｄｅｒ：Ｓ―ＳＦＨ）に含まれた初期ネットワーク進入及びネットワーク発見と関連した情報を含むサブパケットを所定周期にしたがって受信すること；及び前記基地局から前記サブパケットに含まれるパラメーターの変更の有無を指示するＳ―ＳＦＨサブパケット更新指示子を含む第１のＭＢＳマップ（ＭＡＰ）を受信することを含む。
【００１１】
このとき、前記Ｓ―ＳＦＨサブパケット更新指示子は、前記第１のＭＢＳマップが伝送されるＭＢＳスケジューリング間隔（ＭＢＳ  Ｓｃｈｅｄｕｌｉｎｇ  Ｉｎｔｅｒｖａｌ：ＭＳＩ）内で変更されたサブパケットの伝送可否を指示することができる。
【００１２】
本発明の一実施例に係る前記Ｓ―ＳＦＨサブパケット更新指示子が前記サブパケットの変更を指示する場合、前記第１のＭＢＳマップは、前記の変更されたサブパケットが伝送される時点を示す伝送時間オフセットフィールドを含むことができる。
【００１３】
このとき、前記伝送時間オフセットフィールドは、無線フレーム構造で変更前のサブパケットが伝送される時点を基準にして増減するスーパーフレームの個数に関する情報を含むことができる。また、前記伝送時間オフセットフィールドのビット数はＭＳＩによって決定することができる。
【００１４】
本発明の一実施例に係る前記端末が電力節約モードである場合、本発明の一実施例に係る端末のデータ受信方法は、前記伝送時間オフセット情報によって前記の変更されたサブパケットが伝送される時点でウェイクアップし、前記の変更されたサブパケットを受信することをさらに含むことができる。
【００１５】
また、本発明の一実施例に係る端末のデータ受信方法は、前記の変更されたサブパケットに含まれたダウンリンク周波数分割に関する情報に基づいてＭＢＳ資源領域を導出すること；及び前記の導出されたＭＢＳ資源領域で第２のＭＢＳマップ及びＭＢＳバーストを受信することをさらに含むことができる。
【００１６】
このとき、前記ダウンリンク周波数分割に関する情報は、ダウンリンクサブバンド割り当てカウント情報、ダウンリンク周波数分割設定情報及びダウンリンク周波数分割サブバンドカウント情報のうち少なくとも一つを含むことができる。
【００１７】
本発明の一実施例において、前記Ｓ―ＳＦＨは、互いに異なる時間に独立した伝送周期で伝送される第１のＳ―ＳＦＨサブパケット、第２のＳ―ＳＦＨサブパケット及び第３のＳ―ＳＦＨサブパケットを含み、前記初期ネットワーク進入及びネットワーク発見と関連した情報は各サブパケットに含まれ、前記ＭＢＳ資源領域導出と関連した情報を含むサブパケットは前記第２のサブパケットに対応することができる。
【００１８】
上述した課題を解決するための本発明の他の実施例に係る基地局がマルチキャストブロードキャストサービス（Ｍｕｌｔｉｃａｓｔ  ａｎｄ  Ｂｒｏａｄｃａｓｔ  Ｓｅｒｖｉｃｅ：ＭＢＳ）データを端末に伝送する方法は、副スーパーフレームヘッダー（Ｓｅｃｏｎｄａｒｙ―Ｓｕｐｅｒ  Ｆｒａｍｅ  Ｈｅａｄｅｒ：Ｓ―ＳＦＨ）に含まれた初期ネットワーク進入及びネットワーク発見と関連した情報を含むサブパケットを所定周期にしたがって前記端末に伝送すること、及び前記サブパケットに含まれるパラメーターの変更の有無を指示するＳＦＨサブパケット更新指示子を含む第１のＭＢＳマップ（ＭＡＰ）を前記端末に伝送することを含む。
【００１９】
本発明の一実施例に係る基地局のデータ伝送方法は、前記の変更されたサブパケットを前記端末に伝送すること、及び第２のＭＢＳマップ及びＭＢＳバーストを前記端末に伝送することをさらに含むことができる。
【００２０】
上述した課題を解決するための本発明の更に他の実施例に係るマルチキャストブロードキャストサービスデータを受信する端末は、無線信号を受信するための受信モジュールと、前記端末の動作可否を制御するためのプロセッサとを含み、前記受信モジュールを通して基地局から所定周期にしたがって伝送される副スーパーフレームヘッダー（Ｓｅｃｏｎｄａｒｙ―Ｓｕｐｅｒ  Ｆｒａｍｅ  Ｈｅａｄｅｒ：Ｓ―ＳＦＨ）に含まれた初期ネットワーク進入及びネットワーク発見と関連した情報を含むサブパケット、及び前記サブパケットに含まれるパラメーターの変更の有無を指示するＳ―ＳＦＨサブパケット更新指示子を含む第１のＭＢＳマップ（ＭＡＰ）を受信し、前記プロセッサは、前記ＳＦＨサブパケット更新指示子にしたがって、電力節約モードの前記端末が、変更されたサブパケットが伝送される時点でウェイクアップし、前記の変更されたサブパケットを受信するように制御することができる。
【００２１】
上述した課題を解決するための本発明の更に他の実施例に係るマルチキャストブロードキャストサービスデータを伝送する基地局は、無線信号を伝送するための送信モジュールと、副スーパーフレームヘッダー（Ｓｅｃｏｎｄａｒｙ―Ｓｕｐｅｒ  Ｆｒａｍｅ  Ｈｅａｄｅｒ：Ｓ―ＳＦＨ）に含まれた初期ネットワーク進入及びネットワーク発見と関連した情報を含むサブパケットを生成し、これを前記送信モジュールを通して所定周期にしたがって端末に伝送し、前記サブパケットに含まれるパラメーターの変更の有無を指示するＳ―ＳＦＨサブパケット更新指示子を含むＭＢＳマップ（ＭＡＰ）を生成し、これを前記送信モジュールを通して前記端末に伝送するプロセッサとを含み、前記Ｓ―ＳＦＨサブパケット更新指示子は、前記ＭＢＳマップが伝送されるＭＢＳスケジューリング間隔（ＭＢＳ  Ｓｃｈｅｄｕｌｉｎｇ  Ｉｎｔｅｒｖａｌ：ＭＳＩ）内で変更されたサブパケットの伝送可否を指示することができる。
【００２２】
上述した各実施例において、電力節約モードは睡眠モード及び遊休モードを含むことができる。
本明細書は、例えば、以下の項目も提供する。
（項目１）
端末において基地局からＭＢＳ（Ｍｕｌｔｉｃａｓｔ  ａｎｄ  Ｂｒｏａｄｃａｓｔ  Ｓｅｒｖｉｃｅ）データを受信する方法であって、前記方法は、
前記基地局からＳ−ＳＦＨ（Ｓｅｃｏｎｄａｒｙ―Ｓｕｐｅｒ  Ｆｒａｍｅ  Ｈｅａｄｅｒ）のサブパケットを所定周期にしたがって受信することであって、前記サブパケットは、初期ネットワーク進入及びネットワーク発見と関連した情報を含む、ことと、
前記基地局から第１のＭＢＳ  ＭＡＰを受信することであって、前記第１のＭＢＳ  ＭＡＰは、変更されたＳ−ＳＦＨサブパケットが伝送されるか否かを指示するＳ―ＳＦＨサブパケット更新指示子を含む、ことと
を含み、
前記Ｓ―ＳＦＨサブパケット更新指示子は、前記第１のＭＢＳ  ＭＡＰが伝送されるＭＳＩ（ＭＢＳ  Ｓｃｈｅｄｕｌｉｎｇ  Ｉｎｔｅｒｖａｌ）内で前記変更されたＳ−ＳＦＨサブパケットが伝送されるか否かを指示する、方法。
（項目２）
前記Ｓ―ＳＦＨサブパケット更新指示子が前記サブパケットの変更を指示する場合、
前記第１のＭＢＳ  ＭＡＰは、前記変更されたＳ−ＳＦＨサブパケットが伝送される時点を示す伝送時間オフセットフィールドを含む、項目１に記載の方法。
（項目３）
前記伝送時間オフセットフィールドは、無線フレーム構造で前記変更されたＳ−ＳＦＨサブパケットの前のサブパケットが伝送される時点に基づいて増減するスーパーフレームの個数の情報を含む、項目２に記載の方法。
（項目４）
前記伝送時間オフセットフィールドのビット数は前記ＭＳＩによって決定される、項目２に記載の方法。
（項目５）
前記端末が電力節約モードである場合、
前記伝送時間オフセット情報によって前記変更されたＳ−ＳＦＨサブパケットが伝送される時点でウェイクアップすることにより前記変更されたＳ−ＳＦＨサブパケットを受信することをさらに含み、
前記モードは遊休モード及び睡眠モードを含む、項目２に記載の方法。
（項目６）
前記変更されたＳ−ＳＦＨサブパケットに含まれたダウンリンクサブバンド及び周波数分割の情報に基づいてＭＢＳ資源領域を獲得することと、
前記獲得されたＭＢＳ資源領域から第２のＭＢＳ  ＭＡＰ及びＭＢＳバーストを受信することと
をさらに含む、項目５に記載の方法。
（項目７）
前記ダウンリンクサブバンド及び周波数分割の情報は、
ダウンリンクサブバンド割り当てカウント（ＤＳＡＣ）情報、ダウンリンク周波数分割設定（ＤＦＰＣ）情報及びダウンリンク周波数分割サブバンドカウント（ＤＦＰＳＣ）情報のうちの少なくとも一つを含む、項目６に記載の方法。
（項目８）
前記Ｓ―ＳＦＨは、互いに異なる時間に独立した伝送周期で伝送される第１のＳ―ＳＦＨサブパケット、第２のＳ―ＳＦＨサブパケット及び第３のＳ―ＳＦＨサブパケットを含み、
前記初期ネットワーク進入及びネットワーク発見と関連した情報を含むサブパケットは、前記ＭＢＳと関連した前記第２のサブパケットである、項目１に記載の方法。
（項目９）
基地局においてＭＢＳ（Ｍｕｌｔｉｃａｓｔ  ａｎｄ  Ｂｒｏａｄｃａｓｔ  Ｓｅｒｖｉｃｅ）データを伝送する方法であって、前記方法は、
Ｓ−ＳＦＨ（Ｓｅｃｏｎｄａｒｙ―Ｓｕｐｅｒ  Ｆｒａｍｅ  Ｈｅａｄｅｒ）のサブパケットを所定周期にしたがって端末に伝送することであって、前記サブパケットは、初期ネットワーク進入及びネットワーク発見と関連した情報を含む、ことと、
第１のＭＢＳ  ＭＡＰを前記端末に伝送することであって、前記第１のＭＢＳ  ＭＡＰは、変更されたＳ−ＳＦＨサブパケットが伝送されるか否かを指示するＳ−ＳＦＨサブパケット更新指示子を含む、ことと
を含み、
前記Ｓ―ＳＦＨサブパケット更新指示子は、前記第１のＭＢＳ  ＭＡＰが伝送されるＭＳＩ（ＭＢＳ  Ｓｃｈｅｄｕｌｉｎｇ  Ｉｎｔｅｒｖａｌ）内で前記変更されたＳ−ＳＦＨサブパケットが伝送されるか否かを指示する、方法。
（項目１０）
前記Ｓ―ＳＦＨサブパケット更新指示子が前記サブパケットの変更を指示する場合、
前記第１のＭＢＳ  ＭＡＰは、前記変更されたＳ−ＳＦＨサブパケットが伝送される時点を示す伝送時間オフセットフィールドを含む、項目９に記載の方法。
（項目１１）
前記伝送時間オフセットフィールドは、無線フレーム構造で前記変更されたＳ−ＳＦＨサブパケットの前のサブパケットが伝送される時点に基づいて増減するスーパーフレームの個数の情報を含む、項目１０に記載の方法。
（項目１２）
前記伝送時間オフセットフィールドのビット数は前記ＭＳＩによって決定される、項目１０に記載の方法。
（項目１３）
前記変更されたＳ−ＳＦＨサブパケットを前記端末に伝送することと、
第２のＭＢＳ  ＭＡＰ及びＭＢＳバーストを前記端末に伝送することと
をさらに含む、項目１０に記載の方法。
（項目１４）
前記サブパケットは、ダウンリンクサブバンド及び周波数分割の情報をさらに含み、
前記ダウンリンクサブバンド及び周波数分割の情報は、ダウンリンクサブバンド割り当てカウント（ＤＳＡＣ）情報、ダウンリンク周波数分割設定（ＤＦＰＣ）情報、及びダウンリンク周波数分割サブバンドカウント（ＤＦＰＳＣ）情報のうちの少なくとも一つを含む、項目９に記載の方法。
（項目１５）
ＭＢＳ（Ｍｕｌｔｉｃａｓｔ  ａｎｄ  Ｂｒｏａｄｃａｓｔ  Ｓｅｒｖｉｃｅ）データを受信する端末であって、前記端末は、
無線信号を受信するための受信モジュールと、
前記端末の動作を制御するためのプロセッサと
を含み、
前記受信モジュールは、基地局から所定周期にしたがってＳ−ＳＦＨ（Ｓｅｃｏｎｄａｒｙ―Ｓｕｐｅｒ  Ｆｒａｍｅ  Ｈｅａｄｅｒ）のサブパケット及びＳ−ＳＦＨサブパケット更新指示子を含む第１のＭＢＳ  ＭＡＰを受信し、
前記サブパケットは、初期ネットワーク進入及びネットワーク発見と関連した情報を含み、
前記Ｓ―ＳＦＨサブパケット更新指示子は、前記第１のＭＢＳ  ＭＡＰが伝送されるＭＳＩ（ＭＢＳ  Ｓｃｈｅｄｕｌｉｎｇ  Ｉｎｔｅｒｖａｌ）内で、変更されたＳ−ＳＦＨサブパケットが伝送されるか否かを指示し、
前記プロセッサは、電力節約モードの前記端末を、前記Ｓ−ＳＦＨサブパケット更新指示子によって前記変更されたＳ−ＳＦＨサブパケットが伝送される時点で前記端末がウェイクアップし、前記変更されたＳ−ＳＦＨサブパケットを受信するように制御し、
前記モードは遊休モード及び睡眠モードを含む、端末。
（項目１６）
ＭＢＳ（Ｍｕｌｔｉｃａｓｔ  ａｎｄ  Ｂｒｏａｄｃａｓｔ  Ｓｅｒｖｉｃｅ）データを伝送する基地局であって、前記基地局は、
無線信号を伝送するための伝送モジュールと、
Ｓ−ＳＦＨ（Ｓｅｃｏｎｄａｒｙ―Ｓｕｐｅｒ  Ｆｒａｍｅ  Ｈｅａｄｅｒ）のサブパケット、及び、Ｓ−ＳＦＨサブパケット更新指示子を含むＭＢＳ  ＭＡＰを生成するプロセッサであって、前記Ｓ−ＳＦＨサブパケット更新指示子は、前記ＭＢＳ  ＭＡＰが伝送されるＭＳＩ（ＭＢＳ  Ｓｃｈｅｄｕｌｉｎｇ  Ｉｎｔｅｒｖａｌ）内で変更されたＳ−ＳＦＨサブパケットが伝送されるか否かを指示し、前記サブパケットは、初期ネットワーク進入及びネットワーク発見と関連した情報を含み、前記プロセッサは、前記伝送モジュールを通して所定周期にしたがって前記サブパケット及び前記ＭＢＳ  ＭＡＰを端末に伝送する、プロセッサと
を含む、基地局。
【００２３】
前記各実施形態は、本発明の好適な各実施例のうち一部に過ぎなく、本発明の技術的特徴が反映された多様な実施例は、当該技術分野の通常の知識を有する者によって以下で説明する本発明の詳細な説明に基づいて導出・理解可能である。
【発明の効果】
【００２４】
本発明の各実施例によると、無線通信システムでマルチキャスト及びブロードキャストサービスを効率的に利用することができる。
【００２５】
具体的には、端末がマルチキャスト及びブロードキャストサービスと関連したスーパーフレームヘッダーを成功的に受信し、マルチキャスト及びブロードキャストサービスを利用することができる。
【００２６】
また、睡眠モードの端末が、スーパーフレームヘッダーの変更の有無を指示する情報を通して変更されたスーパーフレームヘッダーが伝送される時点でウェイクアップし、変更されたスーパーフレームヘッダーを成功的に受信することによって、マルチキャスト及びブロードキャストサービスを利用することができる。
【００２７】
本発明で得られる効果は、以上言及した効果に制限されず、言及していない他の効果は、下記の記載から本発明の属する技術分野で通常の知識を有する者に明確に理解されるだろう。
【図面の簡単な説明】
【００２８】
【図１】無線通信システムを例示する図である。
【図２】一般的にＩＥＥＥ８０２．１６ｍシステムで使用するフレーム構造の一例を示す図である。
【図３】一般的にＩＥＥＥ８０２．１６ｍシステムで用いるデュプレックスモードによるスーパーフレームの構造を示す図である。
【図４】一般的にＩＥＥＥ８０２．１６ｍシステムで使用する副スーパーフレームヘッダーが伝送される構造の一例を示す図である。
【図５】一般的にＩＥＥＥ８０２．１６ｍシステムで基地局と端末がＥ―ＭＢＳを用いる信号伝送過程の一例を示す手順フローチャートである。
【図６】一般的なＥ―ＭＢＳを用いるＩＥＥＥ８０２．１６ｍシステムで基地局が遊休モードの端末にＥ―ＭＢＳ  ＭＡＰを伝送するフレーム構造の一例を示す図である。
【図７】本発明の一実施例に係るＥ―ＭＢＳを用いる基地局が端末にＥ―ＭＢＳを提供する過程の一例を示す図である。
【図８】本発明の一実施例に係るＥ―ＭＢＳを用いる基地局が遊休モードの端末にＥ―ＭＢＳ  ＭＡＰを伝送するフレーム構造の他の例を示す図である。
【図９】本発明の一実施例に係るＥ―ＭＢＳを用いる基地局が端末にＥ―ＭＢＳを提供する過程の他の例を示す図である。
【図１０】本発明の一実施例に係るＥ―ＭＢＳを用いる基地局が遊休モードの端末にＥ―ＭＢＳ  ＭＡＰを伝送するフレーム構造の更に他の例を示す図である。
【図１１】本発明の一実施例に係るＥ―ＭＢＳを利用する基地局が端末にＥ―ＭＢＳを提供する過程の更に他の例を示す図である。
【図１２】本発明の一実施例に係るＥ―ＭＢＳを用いる基地局が遊休モードの端末にＥ―ＭＢＳ  ＭＡＰを伝送するフレーム構造の更に他の例を示す図である。
【図１３】本発明の更に他の実施例として、上述した本発明の各実施例を行える端末及び基地局を説明するためのブロック構成図である。
【発明を実施するための形態】
【００２９】
添付の図面を参照して説明する本発明の好適な実施例によって本発明の構成、作用及び特徴が容易に理解されるだろう。以下で説明する各実施例は、本発明の技術的特徴が複数の直交副搬送波を使用するシステムに適用された各例である。便宜上、本発明は、ＩＥＥＥ８０２．１６システムを用いて説明するが、これは例示であって、本発明は、３ＧＰＰ（３ｒｄ  Ｇｅｎｅｒａｔｉｏｎ  Ｐａｒｔｎｅｒｓｈｉｐ  Ｐｒｏｊｅｃｔ）システムを含む多様な無線通信システムに適用することができる。
【００３０】
図２は、一般的にＩＥＥＥ８０２．１６ｍシステムで使用するフレーム構造の一例を示す図で、図３は、一般的にＩＥＥＥ８０２．１６ｍシステムで用いるデュプレックスモードによるスーパーフレームの構造を示す図である。
【００３１】
図２を参照すると、無線フレーム構造は、５ＭＨｚ、８．７５ＭＨｚ、１０ＭＨｚ又は２０ＭＨｚの帯域幅をサポートする２０ｍｓスーパーフレーム（ＳＵ０〜ＳＵ３）を含む。スーパーフレームは、同一の大きさを有する４個の５ｍｓフレーム（Ｆ０〜Ｆ３）を含み、スーパーフレームヘッダー（Ｓｕｐｕｅｒ  Ｆｒａｍｅ  Ｈｅａｄｅｒ；ＳＦＨ）から開始される。
【００３２】
スーパーフレームヘッダーは、図２に示したように、１番目のサブフレーム内に位置することができ、少なくとも５個のＯＦＤＭシンボルを用いる。スーパーフレームヘッダーは、ネットワークエントリーに必須のシステムパラメーター及びシステム構成情報を各端末に効率的に伝送するために使用される。また、スーパーフレームヘッダーは、一般的な放送情報又は上級放送情報（Ａｄｖａｎｃｅｄ  Ｂｒｏａｄｃａｓｔ  Ｉｎｆｏｒｍａｔｉｏｎ：ＡＢＩ）が放送される物理放送チャンネルを含むことができる。
【００３３】
スーパーフレームヘッダーは、一つの主スーパーフレームヘッダー（Ｐｒｉｍａｒｙ  Ｓｕｐｅｒｆｒａｍｅ  Ｈｅａｄｅｒ：Ｐ―ＳＦＨ）及び三つの副スーパーフレームヘッダー（Ｓｅｃｏｎｄａｒｙ  Ｓｕｐｅｒｆｒａｍｅ  Ｈｅａｄｅｒ：Ｓ―ＳＦＨ）で構成され、Ｐ―ＳＦＨは毎スーパーフレームごとに伝送し、Ｓ―ＳＦＨは、毎スーパーフレームごとに伝送することができ、連続する２個のスーパーフレームを通して繰り返して伝送することができる。Ｓ―ＳＦＨについては、以下の図４を参照して簡略に説明する。
【００３４】
前記スーパーフレームを構成する各フレームは、８個のサブフレーム（ＳＦ０〜ＳＦ７）を含む。サブフレームを構成する方法によって、フレーム構造は、ＦＤＤ（Ｆｒｅｑｕｅｎｃｙ  Ｄｉｖｉｓｉｏｎ  Ｄｕｐｌｅｘ）、Ｈ―ＦＤＤ（Ｈａｌｆ  Ｆｒｅｑｕｅｎｃｙ  Ｄｉｖｉｓｉｏｎ  Ｄｕｐｌｅｘ）、ＴＤＤ（Ｔｉｍｅ  Ｄｉｖｉｓｉｏｎ  Ｄｕｐｌｅｘ）などで構成することができる。
【００３５】
図３を参照すると、ＦＤＤモードでは、ダウンリンク伝送及びアップリンク伝送が周波数によって区分されるので、フレームは、ダウンリンクサブフレーム（Ｄ）及びアップリンクサブフレーム（Ｕ）のうち一つのみを含む。ＦＤＤモードの場合、毎フレームの終了に休止時間が存在し得る。一方、ＴＤＤモードでのダウンリンク伝送及びアップリンク伝送は時間によって区分されるので、フレーム内のサブフレームはダウンリンクサブフレーム（Ｄ）とアップリンクサブフレーム（Ｕ）とに区分される。ダウンリンクからアップリンクに変更される間にはＴＴＧ（Ｔｒａｎｓｍｉｔ  Ｔｒａｎｓｉｔｉｏｎ  Ｇａｐ）と称される休止時間が存在し、アップリンクからダウンリンクに変更される間にはＲＴＧ（Ｒｅｃｅｉｖｅ  Ｔｒａｎｓｉｔｉｏｎ  Ｇａｐ）と称される休止時間が存在する。
【００３６】
再び図２を参照すると、各サブフレームは、時間領域で複数のＯＦＤＭシンボルを含み、周波数領域で複数の副搬送波を含む。ＯＦＤＭシンボルは、多重接続方式にしたがってＯＦＤＭＡシンボル、ＳＣ―ＦＤＭＡシンボルなどと称することができる。一つのサブフレームに含まれるＯＦＤＭシンボルの数は、チャンネル帯域幅、ＣＰの長さによって５〜７個に多様に変更することができる。サブフレームに含まれるＯＦＤＭシンボルの数によってサブフレームのタイプを定義することができる。例えば、タイプ―１のサブフレームは６ＯＦＤＭシンボル、タイプ―２のサブフレームは７ＯＦＤＭシンボル、タイプ―３のサブフレームは５ＯＦＤＭシンボル、タイプ―４のサブフレームは９ＯＦＤＭシンボルを含むと定義することができる。一つのフレームは、全て同一のタイプのサブフレームを含むか、互いに異なるタイプのサブフレームを含むことができる。
【００３７】
図４は、一般的にＩＥＥＥ８０２．１６ｍシステムで使用する副スーパーフレームヘッダーが伝送される構造の一例を示す図である。
【００３８】
Ｓ―ＳＦＨを介して伝送される情報は、三つのサブパケット（ＳｕｂＰａｃｋｅｔ：ＳＰ）に分割して伝送できるが、Ｓ―ＳＦＨに該当する各ＳＰは、Ｓ―ＳＦＨ  ＳＰ１、Ｓ―ＳＦＨ  ＳＰ２及びＳ―ＳＦＨ  ＳＰ３などと称することができる。
【００３９】
図４を参照すると、各Ｓ―ＳＦＨは、異なる伝送周期に設定することができる。例えば、Ｓ―ＳＦＨ  ＳＰ１の伝送周期は４０ｍｓ、Ｓ―ＳＦＨ  ＳＰ２の伝送周期は８０ｍｓ、Ｓ―ＳＦＨ  ＳＰ３の伝送周期は１６０ｍｓ又は３２０ｍｓである独立した伝送周期に設定することができる。Ｓ―ＳＦＨ  ＳＰ１はネットワーク再進入に関する情報を含み、Ｓ―ＳＦＨ  ＳＰ２は初期ネットワーク進入及びネットワーク発見に関する情報を含み、Ｓ―ＳＦＨ  ＳＰ３は各Ｓ―ＳＦＨ  ＳＰの伝送周期などの必須システム情報を含む。このとき、スーパーフレーム上でＳ―ＳＦＨ  ＳＰが伝送されない領域のスーパーフレーム資源は、他の制御情報又はＡ―ＭＡＰを伝送するのに用いられる。
【００４０】
図２〜図４を参照して説明した構造は例示に過ぎない。したがって、スーパーフレームの長さ、スーパーフレームに含まれるフレームの数、フレームに含まれるサブフレームの数、サブフレームに含まれるＯＦＤＭＡシンボルの数、ＯＦＤＭＡシンボルのパラメーターなどは多様に変更することができる。一例として、フレームに含まれるサブフレームの数は、チャンネル帯域幅、ＣＰ（ｃｙｃｌｉｃ  ｐｒｅｆｉｘ）の長さによって多様に変更することができる。
【００４１】
ＩＥＥＥ８０２．１６ｍシステムは、一つ以上のユーザーを含むユーザーグループに対して共通のダウンリンクデータを効率的に同時に伝送するために、向上したマルチキャストブロードキャストサービス（Ｅ―ＭＢＳ：Ｅｎｈａｎｃｅｄ  Ｍｕｌｔｉｃａｓｔ  ａｎｄ  Ｂｒｏａｄｃａｓｔ  Ｓｅｒｖｉｃｅ）をサポートする。本発明の技術的思想を逸脱しない範囲内で、Ｅ―ＭＢＳはＭＢＳと同一の意味で使用することができる。
【００４２】
Ｅ―ＭＢＳは、ダウンリンクサービスのみで用いることができ、共通のマルチキャストＳＴＩＤ（Ｓｔａｔｉｏｎ  ＩＤ）及びＦＩＤ（Ｆｌｏｗ  ＩＤ）を用いる。また、Ｅ―ＭＢＳは、マクロダイバーシティを用いる一つ以上の基地局を含む基地局グループのうちいずれか一つの基地局によって調整又は同期化することができる。
【００４３】
各マルチキャスト／ブロードキャスト連結は、該当のサービスフローのサービス品質（Ｑｕａｌｉｔｙ  ｏｆ  Ｓｅｒｖｉｃｅ：ＱｏＳ）及びトラフィックパラメーターが構築されたサービスフローと関連している。Ｅ―ＭＢＳデータを伝送するために、サービスフローは、正常モード又は連結状態で動作する間、該当のサービスに参加する各端末に伝達され、各端末は、これを通して該当のサービスと関連したサービスフローを識別するパラメーターを受信することができる。
【００４４】
Ｅ―ＭＢＳを提供できる各基地局は、特定のＥ―ＭＢＳゾーンに属するようになり、一つの基地局は、多数のＥ―ＭＢＳゾーンに属することができる。ここで、Ｅ―ＭＢＳゾーンとは、一つ以上のサービスフローのコンテンツを伝送するのに使用されるＳＴＩＤ及びＦＩＤが同一な一つ以上の基地局を含む基地局セットと定義することができる。各Ｅ―ＭＢＳゾーンは、他のＥ―ＭＢＳゾーンと区別可能なＥ―ＭＢＳ識別子（Ｅ―ＭＢＳ＿Ｚｏｎｅ＿ＩＤ）を有し、一つのＥ―ＭＢＳ＿Ｚｏｎｅ＿ＩＤは、隣接した二つのＥ―ＭＢＳゾーン間で交差して再び使用されない。
【００４５】
Ｅ―ＭＢＳを用いる基地局のネットワーク上で適切なマルチキャスト動作を保障するために、同一のＥ―ＭＢＳコンテンツ及びサービス伝送に用いられるＳＴＩＤ及びＦＩＤは、該当のＥ―ＭＢＳゾーンに含まれた全ての基地局に対して同一であり得る。これは、既にサービスに登録された端末がＥ―ＭＢＳゾーン内でアップリンク上で通信を行ったり、又は該当のＥ―ＭＢＳゾーンに属した他の基地局に対して再登録せず、Ｅ―ＭＢＳ伝送に円滑に同期化できるようにする。
【００４６】
Ｅ―ＭＢＳトラフィック伝送モードは、非マクロダイバーシティモードとマクロダイバーシティモードとに区分することができる。
【００４７】
非マクロダイバーシティモードは、同一のＥ―ＭＢＳゾーンに属した各基地局が同一のフレームで伝送するように調整するもので、マクロダイバーシティモードを利用できない場合に使用される。該当のモードで、同一のＥ―ＭＢＳゾーンに属した全ての基地局は、同一のフレームで同一のＥ―ＭＢＳコンテンツを搬送するＭＡＣ  ＳＤＵセットを伝送する。このとき、ＭＡＣ  ＳＤＵセットは、同一のフレームでＭＡＣ  ＰＤＵにマッピングされる。これは、同一のＳＤＵ断片、同一の断片シーケンスナンバー及び断片大きさでマッピングされることを意味し、同一の端末が同一のＥ―ＭＢＳゾーンに属した全ての基地局からＥ―ＭＢＳ伝送を受けることを可能にする。
【００４８】
マクロダイバーシティモードは、調整のみならず、一つのＥ―ＭＢＳゾーンに属した全ての基地局がＥ―ＭＢＳ伝送を選択的に同期化することを意味する。このような選択的同期化は、一つの端末が多数の基地局からマルチキャスト又はブロードキャスト伝送でマクロダイバーシティ利得を導出できるようにし、受信率を向上させることができる。
【００４９】
マクロダイバーシティモードで、一つのＥ―ＭＢＳゾーンに属し、同一のＥ―ＭＢＳサービスに参加している全ての基地局は、同一の時点で同一の資源を使用して同一のデータを伝送することによって、Ｅ―ＭＢＳ伝送でマクロダイバーシティ利得効果を発生させることができる。
【００５０】
具体的に、同一のＥ―ＭＢＳゾーンに属した全ての基地局は、ＰＨＹパラメーターのみならず、同一のポジション及び次元のＥ―ＭＢＳバーストを用いるようになる。さらに、Ｅ―ＭＢＳゾーンの全ての基地局は、調整パラメーター（例えば、Ｅ―ＭＢＳ＿Ｚｏｎｅ＿ＩＤ、ＳＴＩＤ、ＦＩＤ、ＭＳＩ（Ｅ―ＭＢＳ  Ｓｃｈｅｄｕｌｉｎｇ  Ｉｎｔｅｒｖａｌ）など）及びパケット分類基準パラメーターに対する同一の情報を共有する。また、Ｅ―ＭＢＳゾーンの全ての基地局は、伝送ＰＨＹパラメーター、各Ｅ―ＭＢＳバーストに対する変調及びコーディング技法（ＭＣＳ）、変調タイプ、反復コーディング、ＭＡＣ  ＳＤＵのＭＡＣ  ＰＤＵに対するマッピング、ＭＡＣ  ＰＤＵのバーストに対するマッピング、Ｅ―ＭＢＳゾーンでのバースト順序、及びＥ―ＭＢＳ  ＭＡＰ具現方式に対して同一の情報を共有する。
【００５１】
Ｅ―ＭＢＳゾーンの全ての基地局は、Ｅ―ＭＢＳをサポートするために必要な必須構成情報を含むＥ―ＭＢＳ  ＭＡＰを所定周期で端末に伝送することができる。ただし、端末が伝送されるＥ―ＭＢＳ  ＭＡＰを読んでデコーディングするためには、基地局と端末との間にＥ―ＭＢＳ連結が成立されなければならない。このために、Ｅ―ＭＢＳサービスを利用しようとする端末とＥ―ＭＢＳゾーンに属したいずれか一つの基地局は、Ｅ―ＭＢＳサービス連結のためのＭＡＣ制御メッセージを送受信することができる。Ｅ―ＭＢＳサービス連結と関連したＭＡＣ制御メッセージとしては、端末が基地局に登録する過程と関連したＡＡＩ＿ＲＥＧ―ＲＥＱ／ＲＳＰ（Ａｄｖｅｒｎｃｅｄ  Ａｉｒ  Ｉｎｔｅｒｆａｃｅ＿Ｒｅｇｉｓｔｒａｔｉｏｎ―Ｒｅｑｕｅｓｔ／Ｒｅｓｐｏｎｓｅ）メッセージ、サービスフローの生成、変更、除去などと関連したＡＡＩ＿ＤＳＡ―ＲＥＱ／ＲＳＰ（Ａｄｖｅｒｎｃｅｄ  Ａｉｒ  Ｉｎｔｅｒｆａｃｅ＿Ｄｙｎａｍｉｃ  Ｓｅｒｖｉｃｅ  Ａｄｄｉｔｉｏｎ―Ｒｅｑｕｅｓｔ／Ｒｅｓｐｏｎｓｅ）メッセージ、ＡＡＩ＿ＤＳＣ―ＲＥＱ／ＲＳＰ（Ａｄｖｅｒｎｃｅｄ  Ａｉｒ  Ｉｎｔｅｒｆａｃｅ＿Ｄｙｎａｍｉｃ  Ｓｅｒｖｉｃｅ  Ｃｈａｎｇｅ―Ｒｅｑｕｅｓｔ／Ｒｅｓｐｏｎｓｅ）メッセージ、及びＡＡＩ＿ＤＳＤ―ＲＥＱ／ＲＳＰ（Ａｄｖｅｒｎｃｅｄ  Ａｉｒ  Ｉｎｔｅｒｆａｃｅ＿Ｄｙｎａｍｉｃ  Ｓｅｒｖｉｃｅ  Ｄｅｌｅｔｉｏｎ―Ｒｅｑｕｅｓｔ／Ｒｅｓｐｏｎｓｅ）メッセージなどを用いることができる。
【００５２】
このようなＥ―ＭＢＳは、端末とＥ―ＭＢＳゾーンに属したいずれか一つの基地局とのＥ―ＭＢＳ連結が成立されると、以後の端末の動作状態とは関係なく、該当のＥ―ＭＢＳゾーンに属した任意の基地局からＥ―ＭＢＳ伝送受信を継続的に行えるようにする。
【００５３】
本発明の実施例と関連した端末は、連結状態、睡眠モード又は遊休モードで動作することができる。
【００５４】
連結状態は、正常モード又はアクティブモードと同一の意味で使用することができ、端末が正常に送受信動作を行えるように電力が供給される状態を意味する。睡眠モードは、節電モードと同一の意味で使用することができる。端末が睡眠モードに進入した場合、基地局は、端末にスリープウィンドウの間ダウンリンクデータを伝送できないので、端末は、一つ以上の物理的動作を行わない場合もあり、消費電力を減少させることができる。また、睡眠モードで、端末は、基地局との通信遂行を要求しない動作のように必須機能のみに対して動作することができ、消費電力を減少させることができる。
【００５５】
遊休モードは、端末がページングサイクルによって一時的に信号受信などの正常動作を行える状態であって、アクティブモードと比較するとき、消費電力を減少させることができる。遊休モードでも、端末は、ページングチャンネルを探索し、該当の端末に該当するページングチャンネルがある場合、一時的にウェイクアップし、伝送される信号を受信することができる。前記端末に該当するページングチャンネルが発見されない場合、端末は、再び遊休モードに進入することができる。したがって、遊休モードの端末にデータ又は要請情報を伝送しようとする基地局は、端末のページング区間で信号を伝送することができる。
【００５６】
このような電力を節約するためのモード（例えば、遊休モード又は睡眠モード）の端末に対してＥ―ＭＢＳがサポートされる場合、電力節約モードの端末は、Ｅ―ＭＢＳデータが伝送される時点では一時的にウェイクアップしなければならない。以下、これを図５を参照して説明する。
【００５７】
図５は、一般的にＩＥＥＥ８０２．１６ｍシステムで基地局と端末がＥ―ＭＢＳを用いる信号伝送過程の一例を示す手順フローチャートである。
【００５８】
図５を参照すると、Ｅ―ＭＢＳサービスを利用するために、端末は、Ｅ―ＭＢＳ伝送をサポートする多数の基地局のうちいずれか一つの基地局に対してネットワークエントリーのためのＡＡＩ＿ＲＥＧ―ＲＥＱを伝送する（Ｓ５０１）。
【００５９】
このときの端末は、連結状態又はアクティブモードで動作中であると仮定する。ＡＡＩ＿ＲＥＧ―ＲＥＱは、該当の端末のＥ―ＭＢＳサポート可否、及びＥ―ＭＢＳがサポートされる場合、単一基地局又は多重基地局からサービスを受けられるかどうかを指示する情報を含む。
【００６０】
ＡＡＩ＿ＲＥＧ―ＲＥＱを受信した該当の基地局は、それに対する応答として該当の端末にＡＡＩ＿ＲＥＧ―ＲＳＰを伝送する（Ｓ５０２）。
【００６１】
基地局は、ＡＡＩ＿ＲＥＧ―ＲＳＰを通して端末が要請したＥ―ＭＢＳのサポート可否、及び  Ｅ―ＭＢＳがサポートされる場合、非マクロダイバーシティモード及びマクロダイバーシティモードのうちいずれのモードでのＥ―ＭＢＳを用いるかを指示することができる。
【００６２】
その後、連続するＥ―ＭＢＳ動作のために、基地局は、Ｅ―ＭＢＳと関連したシステム情報を含むＡＡＩ＿Ｅ―ＭＢＳ―ＣＦＧ  ＭＡＣ制御メッセージ（Ａｄｖａｎｃｅｄ  Ａｉｒ  Ｉｎｔｅｒｆａｃｅ＿Ｅｎｈｅｎｃｅｄ―Ｍｕｌｔｉｃａｓｔ  ａｎｄ  Ｂｒｏａｄｃａｓｔ  Ｓｅｒｖｉｃｅ―Ｃｏｎｆｉｇｕｒａｔｉｏｎ  ＭＡＣ  Ｃｏｎｔｒｏｌ  ｍｅｓｓａｇｅ、以下、「ＡＡＩ＿Ｅ―ＭＢＳ―ＣＦＧメッセージ」という）を端末に伝送する（Ｓ５０３）。
【００６３】
ＡＡＩ＿Ｅ―ＭＢＳ―ＣＦＧメッセージは、所定周期にしたがって伝送され、ダウンリンク物理資源でＥ―ＭＢＳトラフィックに対して予約された資源を特定し、Ｅ―ＭＢＳ動作に必須的な追加情報を含む。
【００６４】
表１は、Ｅ―ＭＢＳと関連したシステム情報を含むＡＡＩ＿Ｅ―ＭＢＳ―ＣＦＧメッセージフォーマットの一例を示すものである。
【００６５】
【表１】
0005667641.tif 000002
表１を参照すると、ＡＡＩ＿Ｅ―ＭＢＳ―ＣＦＧメッセージは、該当のメッセージに含まれる構成情報の変更周期を示す変更周期フィールド（Ｅ―ＭＢＳ＿ＣＦＧ＿ＬＩＦＥＴＩＭＥ）、Ｅ―ＭＢＳゾーンに割り当てられる資源情報を示す資源割り当てビットマップフィールド（Ｚｏｎｅ＿Ａｌｌｏｃａｔｉｏｎ  Ｂｉｔ―ＭＡＰ）、最後のＥ―ＭＢＳゾーンの利用可否を指示するフラグを含むゾーンフラグフィールド（ＺＦ）を含む。
【００６６】
このとき、ＡＡＩ＿Ｅ―ＭＢＳ―ＣＦＧメッセージを伝送する基地局がＥ―ＭＢＳをサポートする場合、ＡＡＩ＿Ｅ―ＭＢＳ―ＣＦＧメッセージフォーマットは、該当のＥ―ＭＢＳ  ＭＡＰが適用されるＥ―ＭＢＳゾーンの識別子（Ｅ―ＭＢＳ  Ｚｏｎｅ  ＩＤ）を含むＥ―ＭＢＳゾーン識別子フィールド、一つ以上のスーパーフレームで構成されるＭＳＩの長さ情報を含むＭＳＩ長さフィールド、資源が割り当てられる位置及び資源大きさ情報を含むＥ―ＭＢＳマップの資源インデックス（Ｅ―ＭＢＳ  ＭＡＰ  Ｒｅｓｏｕｒｃｅ  Ｉｎｄｅｘ）を含むＥ―ＭＢＳマップ資源インデックスフィールド、及びＥ―ＭＢＳマップの大きさオフセット情報を含むＥ―ＭＢＳ大きさオフセットフィールド（Ｅ―ＭＢＳ  ＭＡＰ  Ｉｓｉｚｅｏｆｆｓｅｔ）をさらに含むことができる。ＡＡＩ＿Ｅ―ＭＢＳ―ＣＦＧメッセージは、ＭＡＸ  ＭＳＩ（１６スーパーフレーム＝３２０ｍｓ）ごとに伝送され、ＡＡＩ＿Ｅ―ＭＢＳ―ＣＦＧメッセージが伝送される次のスーパーフレームからＭＳＩが開始される。ＭＳＩは、ＭＢＳゾーンと関連した各ストリームに対するトラフィックをスケジューリングするために１回にスケジュール可能な多数のスーパーフレームで示す。
【００６７】
したがって、端末は、ＡＡＩ＿Ｅ―ＭＢＳ―ＣＦＧメッセージを介してＥ―ＭＢＳゾーンの割り当て情報（Ｚｏｎｅ＿Ａｌｌｏｃａｔｉｏｎ  Ｂｉｔ―ＭＡＰ、ＺＦ、Ｅ―ＭＢＳ＿Ｚｏｎｅ＿ＩＤ）及びＥ―ＭＢＳ  ＭＡＰデコーディングと関連した情報（ＭＳＩ、Ｅ―ＭＢＳ  ＭＡＰ  ｒｅｓｏｕｒｃｅ  Ｉｎｄｅｘ、Ｅ―ＭＢＳ  ＭＡＰ  Ｉｓｉｚｅｏｆｆｓｅｔ）を獲得することができる。このようなサービスフローと関連した特定の端末に対するＥ―ＭＢＳ連結成立は、特定の端末が連結された状態で行うことができる。
【００６８】
端末がＥ―ＭＢＳを用いるために基地局に登録した場合、Ｅ―ＭＢＳは、該当の端末がアクティブモード、睡眠モード又は遊休状態のうちいずれか一つに該当するとしても維持することができる。
【００６９】
Ｅ―ＭＢＳ連結成立後、端末は、基地局が所定周期で伝送するＥ―ＭＢＳ  ＭＡＰを読むことができる（Ｓ５０４）。このとき、Ｅ―ＭＢＳが開始される地点で、端末は、該当のＥ―ＭＢＳゾーンの任意の基地局からＥ―ＭＢＳ領域の１番目の多くの資源ユニットを通してＥ―ＭＢＳ    ＭＡＰを受けるようになる。Ｅ―ＭＢＳ  ＭＡＰは、該当のＥ―ＭＢＳゾーンに対するマルチキャストブロードキャストサービスと関連した制御情報を含む。前記Ｅ―ＭＢＳマップは、Ｅ―ＭＢＳをサポートする基地局が所定周期にしたがって放送する制御情報であって、Ｅ―ＭＢＳを利用しようとする端末は、上述した段階Ｓ５０１〜Ｓ５０３のＥ―ＭＢＳ連結成立過程が行われた後でＥ―ＭＢＳマップを受信することができる。したがって、図５でＥ―ＭＢＳマップが伝送される過程を示す点線は、基地局がＥ―ＭＢＳマップを所定周期で伝送するが、Ｅ―ＭＢＳ連結成立前であるため、端末が受信できない状態を示す。
【００７０】
端末は、Ｅ―ＭＢＳ  ＭＡＰを通して自分が受信するＥ―ＭＢＳバーストを受信することができる（Ｓ５０５）。
【００７１】
表２は、一般的なＩＥＥＥ８０２．１６システムで使用するＥ―ＭＢＳ  ＭＡＰ構造の一例を示すものである。
【００７２】
【表２】
0005667641.tif 000003
Ｅ―ＭＢＳ  ＭＡＰは、Ｅ―ＭＢＳゾーンに対するマルチキャストブロードキャストサービスに関する一つ以上の構成情報を含む。Ｅ―ＭＢＳ  ＭＡＰは、前段階で伝送されたＡＡＩ＿Ｅ―ＭＢＳ―ＣＦＧメッセージを介して特定され、ＭＳＩが開始されるＥ―ＭＢＳ領域の最初の多数の資源ユニットを通して伝送される。
【００７３】
以下、Ｅ―ＭＢＳ  ＭＡＰを受信するために必要な情報を含むＳ―ＳＦＨについて図６を参照して簡略に説明する。
【００７４】
図６は、一般的なＥ―ＭＢＳを用いるＩＥＥＥ８０２．１６ｍシステムで基地局が遊休モードの端末にＥ―ＭＢＳ  ＭＡＰを伝送するフレーム構造の一例を示す図である。
【００７５】
図６を参照すると、Ｓ―ＳＦＨ  ＳＰ２が所定伝送周期で毎スーパーフレーム上で伝送され、Ｅ―ＭＢＳ  ＭＡＰは、毎ＭＳＩ（Ｅ―ＭＢＳ  Ｓｃｈｅｄｕｌｉｎｇ  Ｉｎｔｅｒｖａｌ）の１番目のＥ―ＭＢＳ領域で伝送される。各Ｅ―ＭＢＳゾーンは、対応するＭＳＩを有し、ＭＳＩは、該当のスケジューリング間隔が開始される部分より前のＭＢＳゾーンと関連した各ストリームに対するトラフィックがスケジュールされるスーパーフレーム間隔を示す。Ｅ―ＭＢＳ＿ＭＡＰメッセージは、全体のＭＳＩに対する一つのＥ―ＭＢＳゾーンと関連したＥ―ＭＢＳデータのマッピングに関する情報を含み、それぞれのＳ―ＳＦＨ  ＳＰ２は、初期ネットワーク進入及びネットワーク発見に関する情報を含む。
【００７６】
表３は、本発明の一実施例と関連したＳ―ＳＦＨ  ＳＰ２情報要素（ＩＥ）フォーマットの一例を示すものである。
【００７７】
【表３−１】
0005667641.tif 000004
【表３−２】
0005667641.tif 000005
表３を参照すると、Ｓ―ＳＦＨ  ＳＰ２  ＩＥは、４８ビットからなる該当の基地局の識別子（ＢＳＩＤ）で最上位３６ビットに対する情報、ダウンリンクでのサブバンド割り当て情報と周波数分割に関する情報、アップリンクでのサブバンド割り当て情報と周波数分割に関する情報、及び端末に対する伝送電力制限レベルに関する情報を含むことができる。
【００７８】
ダウンリンクでのサブバンド割り当て情報と周波数分割に関する情報は、サブバンドの個数を指示するダウンリンクサブバンド割り当てカウント（Ｄｏｗｎｌｉｎｋ  Ｓｕｂｂａｎｄ  Ａｌｌｏｃａｔｉｏｎ  Ｃｏｕｎｔ：ＤＳＡＣ）情報、ダウンリンク周波数分割設定（Ｄｏｗｎｌｉｎｋ  Ｆｒｅｑｕｅｎｃｙ  Ｐａｒｔｉｔｉｏｎ  Ｃｏｎｆｉｇｕｒａｔｉｏｎ：ＤＦＰＣ）情報、及び周波数分割に割り当てられたサブバンドの個数を指示するダウンリンク周波数分割サブバンドカウント（Ｄｏｗｎｌｉｎｋ  Ｆｒｅｑｕｅｎｃｙ  Ｐａｒｔｉｔｉｏｎ  Ｓｕｂｂａｎｄ  Ｃｏｕｎｔ：ＤＦＰＳＣ）情報を含む。
【００７９】
アップリンクでのサブバンド割り当て情報と周波数分割に関する情報は、サブバンドの個数を指示するアップリンクサブバンド割り当てカウント（Ｕｐｌｉｎｋ  Ｓｕｂｂａｎｄ  Ａｌｌｏｃａｔｉｏｎ  Ｃｏｕｎｔ：ＵＳＡＣ）情報、アップリンク周波数分割設定（Ｕｐｌｉｎｋ  Ｆｒｅｑｕｅｎｃｙ  Ｐａｒｔｉｔｉｏｎ  Ｃｏｎｆｉｇｕｒａｔｉｏｎ：ＵＦＰＣ）情報、及び周波数分割に割り当てられたサブバンドの個数を指示するアップリンク周波数分割サブバンドカウント（Ｕｐｌｉｎｋ  Ｆｒｅｑｕｅｎｃｙ  Ｐａｒｔｉｔｉｏｎ  Ｓｕｂｂａｎｄ  Ｃｏｕｎｔ：ＵＦＰＳＣ）情報を含む。
【００８０】
端末は、受信したＳ―ＳＦＨ  ＳＰ２に含まれたダウンリンクでのサブバンド割り当て情報と周波数分割に関する情報（ＤＳＡＣ、ＤＦＰＣ、ＤＦＰＳＣ）に基づいて全体のサブバンドの個数を導出し、実際のＥ―ＭＢＳ資源領域を判断することができる。これによって、次に伝送されるＥ―ＭＢＳ  ＭＡＰを探すことができ、該当のＥ―ＭＢＳ  ＭＡＰをデコーディングしてＥ―ＭＢＳバーストを受信することができる。したがって、Ｅ―ＭＢＳを用いている端末は、遊休モードであっても、Ｅ―ＭＢＳ  ＭＡＰ及びＥ―ＭＢＳバーストが伝送される時点でウェイクアップし、これを受信することができる。
【００８１】
このようなＳ―ＳＦＨ  ＳＰ２を始めてＳ―ＳＦＨ  ＳＰ１及びＳ―ＳＦＨ  ＳＰ３の伝送周期に関する情報は、Ｓ―ＳＦＨ  ＳＰ３に含まれて伝送される。したがって、端末は、Ｓ―ＳＦＨ  ＳＰ３を受信した後になって、Ｓ―ＳＦＨ  ＳＰ１及びＳ―ＳＦＨ  ＳＰ２が伝送される位置の変更状態に関する情報を獲得することができる。
【００８２】
したがって、図６に示したようにＳ―ＳＦＨ  ＳＰ２が変更される場合、Ｅ―ＭＢＳを受けている遊休モードの端末がＥ―ＭＢＳ  ＭＡＰを受ける時点で既に変更されたＳ―ＳＦＨ  ＳＰ２を受信できず、該当の時点で変更されたＳ―ＳＦＨ  ＳＰ２が適用される場合、端末は、Ｅ―ＭＢＳ  ＭＡＰをデコーディングできないことがある。例えば、全体のサブバンドの数が変更されると、Ｅ―ＭＢＳ  ＭＡＰが伝送される物理的位置が変更され、端末は、ＭＳＩの間にＥ―ＭＢＳバーストを受信できなくなる。すなわち、端末は、少なくとも１回以上変更事項が適用されたＳＰを受信したとき、どの時点でＳＰが伝送されるかを知ることができるので、Ｅ―ＭＢＳのサービス継続性を維持できないという問題が発生する。
【００８３】
本発明は、上述した問題を解決するために、Ｅ―ＭＢＳゾーンに含まれる基地局がＳ―ＳＦＨ  ＳＰ２を変更しようとする場合、Ｅ―ＭＢＳを受ける端末に対して変更されるＳ―ＳＦＨ  ＳＰ２に関する情報を予め伝送する方法を提案しようとする。このとき、端末は、連結状態又は遊休状態であり得る。ただし、説明の便宜上、後述する本発明の各実施例及び関連した図面で、端末は、Ｅ―ＭＢＳゾーンの一つの基地局とのＥ―ＭＢＳ連結成立後、遊休モードにあると仮定する。
【００８４】
（１．第１の実施例）
本発明の一実施例によると、基地局は、変更されるＳ―ＳＦＨ  ＳＰ２の変更の有無を指示する指示子を含むＥ―ＭＢＳ  ＭＡＰを端末に伝送することができる。
【００８５】
図７は、本発明の一実施例に係るＥ―ＭＢＳを用いる基地局が端末にＥ―ＭＢＳを提供する過程の一例を示す図である。
【００８６】
図７において、基地局は、Ｅ―ＭＢＳゾーンに含まれる任意の基地局であって、端末の要請に応じてＥ―ＭＢＳをサポートすることができ、図５で説明したＥ―ＭＢＳ成立のための段階（Ｓ５０１〜Ｓ５０３）が行われたと仮定する。図７で説明したＥ―ＭＢＳ成立に関する段階（Ｓ７０１〜Ｓ７０３）は、図５に例示したＥ―ＭＢＳ成立に関する段階（Ｓ５０１〜Ｓ５０３）に対応し、それに関する同一の説明は、本明細書の簡明さのために省略する。
【００８７】
図７を参照すると、基地局は、Ｓ―ＳＦＨ  ＳＰ２が変更される場合、所定周期で伝送するＥ―ＭＢＳ  ＭＡＰにＳ―ＳＦＨ  ＳＰ２の変更の有無を指示する指示子を含ませて端末に伝送することができる（Ｓ７０４）。
【００８８】
すなわち、基地局は、Ｓ７０４段階で伝送するＥ―ＭＢＳ  ＭＡＰを通して次のＥ―ＭＢＳ  ＭＡＰが伝送される前に伝送される一つ以上のＳ―ＳＦＨ  ＳＰ２のパラメーターが変更されるという情報を端末に伝達することができる。このとき、Ｅ―ＭＢＳ  ＭＡＰは、図５で説明したように、基地局と端末とのＥ―ＭＢＳ連結可否とは関係なく所定周期にしたがって伝送する。ただし、端末は、Ｅ―ＭＢＳ連結成立後のＳ７０４段階でＥ―ＭＢＳ  ＭＡＰを受信することができる。
【００８９】
表４は、本発明の一実施例に係るＥ―ＭＢＳ  ＭＡＰ構造の一例を示すものである。
【００９０】
【表４】
0005667641.tif 000006
表４を参照すると、Ｅ―ＭＢＳ  ＭＡＰは、直ぐ次の伝送でのＡＡＩ＿Ｅ―ＭＢＳ―ＣＦＧメッセージに含まれるパラメーターの変更の有無を指示するパラメーター変更指示フィールド（ＡＡＩ＿Ｅ―ＭＢＳ＿ＣＦＧ  ｃｈａｎｇｅ  Ｉｎｄｉｃａｔｉｏｎ）、該当のＭＳＩで伝送されるＳ―ＳＦＨ  ＳＰ２の変更の有無を指示する指示子を含むＳ―ＳＦＨ  ＳＰ２更新指示子フィールド（Ｓ―ＳＦＨ  ＳＰ２  ｕｐｄａｔｅ  ｉｎｄｉｃａｔｏｒ）、変更されたＳ―ＳＦＨ  ＳＰ２が伝送されるとき、変更されるＳＰ２が伝送される時点を示すためのスーパーフレームオフセット情報を含む伝送時間オフセットフィールド（Ｓ―ＳＦＨ  ＳＰ２  ｔｒａｎｓｍｉｓｓｉｏｎ  ｔｉｍｅ  ｏｆｆｓｅｔ）、及びバイト整列のためにパディングされるビットを含むパディングフィールド（Ｐａｄｄｉｎｇ）を含む。
【００９１】
ＡＡＩ＿Ｅ―ＭＢＳ―ＣＦＧメッセージのパラメーター変更指示フィールド（ＡＡＩ＿Ｅ―ＭＢＳ＿ＣＦＧ  ｃｈａｎｇｅ  Ｉｎｄｉｃａｔｉｏｎ）に１ビットが割り当てられる場合、「１」が設定されると、Ｅ―ＭＢＳ構成メッセージに含まれるパラメーターの変更を示し、「０」が設定されると、パラメーターが変更されないことを示すことができる。パラメーター変更指示フィールドに「１」が設定される場合、端末は、次に伝送されるＡＡＩ＿Ｅ―ＭＢＳ―ＣＦＧメッセージをデコーディングするようになる。パラメーター変更指示フィールドに「０」が設定されると、Ｅ―ＭＢＳ構成メッセージは変更されず、端末は、以前に受信したＡＡＩ＿Ｅ―ＭＢＳ―ＣＦＧメッセージで定義された変更周期を再設定し、次に伝送されるＡＡＩ＿Ｅ―ＭＢＳ―ＣＦＧメッセージをデコーディングしないことがある。
【００９２】
Ｓ―ＳＦＨ  ＳＰ２更新指示子フィールド（Ｓ―ＳＦＨ  ＳＰ２  ｕｐｄａｔｅ  ｉｎｄｉｃａｔｏｒ）は、１ビットが割り当てられる場合、例えば、「１」が設定されるとＳ―ＳＦＨ  ＳＰ２の変更を示し、「０」が設定されるとＳ―ＳＦＨ  ＳＰ２が変更されないことを示すことができる。したがって、基地局は、次のＥ―ＭＢＳ  ＭＡＰの伝送前に次のＭＳＩ内に伝送されるＳ―ＳＦＨ  ＳＰ２のうち一つ以上のＳ―ＳＦＨ  ＳＰ２でパラメーターが変更される場合、表２に例示したようにＳ―ＳＦＨ  ＳＰ２変更指示子を「１」に設定することができる。
【００９３】
これを受信する端末は、次のＭＳＩ内に伝送されるＳ―ＳＦＨ  ＳＰ２のうち少なくとも一つ以上のＳＰ２で変更されたパラメーターを含むことが分かる。また、遊休モードにある端末は、次のＭＳＩ内にＳＰ２伝送周期ごとに遊休モードで一時的にウェイクアップし、Ｓ―ＳＦＨ  ＳＰ２を受信してデコーディングすることができる。
【００９４】
このとき、変更されたＳ―ＳＦＨ  ＳＰ２を受信した後、次のＥ―ＭＢＳ  ＭＡＰが伝送されるまでＳＰ２の再変更が発生しない場合、端末は、変更されたＳ―ＳＦＨ  ＳＰ２以後に次のＥ―ＭＢＳ  ＭＡＰが伝送されるまで伝送される一つ以上のＳＰ２を受信するためにウェイクアップせずに遊休モードを維持することができる。
【００９５】
さらに、Ｓ―ＳＦＨ  ＳＰ２の変更指示子が「１」に設定された状態で、基地局は、段階Ｓ７０４でＥ―ＭＢＳ  ＭＡＰを通して変更されたＳ―ＳＦＨ  ＳＰ２が伝送される時点に関する情報を端末に伝達することができる。変更されたＳ―ＳＦＨ  ＳＰ２が伝送される時点に関する情報、すなわち、伝送時間オフセットフィールド（Ｓ―ＳＦＨ  ＳＰ２  ｔｒａｎｓｍｉｓｓｉｏｎ  ｔｉｍｅ  ｏｆｆｓｅｔ）に割り当てられるビット数はＭＳＩ値によって決定される。
【００９６】
例えば、Ｅ―ＭＢＳ構成メッセージによると、ＭＳＩの大きさがＭＳＩ＝＝０ｂ００である場合は２スーパーフレームになり、この場合、Ｓ―ＳＦＨ  ＳＰ２伝送時間オフセットフィールドには１ビットを割り当てることができる。また、ＭＳＩの大きさがＭＳＩ＝＝０ｂ０１である場合は４スーパーフレームになり、この場合、Ｓ―ＳＦＨ  ＳＰ２伝送時間オフセットフィールドには２ビットを割り当てることができ、ＭＳＩの大きさがＭＳＩ＝＝０ｂ１０である場合、８スーパーフレームでありながらＳ―ＳＦＨ  ＳＰ２伝送時間オフセットフィールドには３ビットを割り当てることができる。また、ＭＳＩの大きさがＭＳＩ＝＝０ｂ１１であって、１６スーパーフレームを示す場合、Ｓ―ＳＦＨ  ＳＰ２伝送時間オフセットフィールドには４ビットを割り当てることができる。伝送時間オフセットは、本来にＳ―ＳＦＨ  ＳＰ２が伝送される時点を基準にして増減程度をスーパーフレーム単位で示すことができる。
【００９７】
Ｅ―ＭＢＳ  ＭＡＰを通して変更されたＳ―ＳＦＨ  ＳＰ２に対する情報及び変更されたＳＰ２が伝送される伝送時間オフセット情報を受信した端末は、該当の時点で変更されたＳＰ２を受信してデコーディングすることができる（Ｓ７０５）。
【００９８】
変更されたＳＰ２のデコーディング動作が行われたので、遊休モードの端末は、以後に基地局から伝送されるＥ―ＭＢＳ  ＭＡＰを受信してデコーディングし、一つ以上のＥ―ＭＢＳバーストを受信することができる（Ｓ７０６）。
【００９９】
一方、連結状態又は正常モードの端末は、変更されたＳ―ＳＦＨ  ＳＰ２に対する情報が予め伝送されなくても、変更されたＳ―ＳＦＨ  ＳＰ２を受信することができる。ただし、チャンネル状況が良くなく、変更されたＳ―ＳＦＨ  ＳＰ２の受信が難しい場合に備えて、図７で説明したＳ―ＳＦＨ  ＳＰ２更新指示子を含むＥ―ＭＢＳ  ＭＡＰを伝送する過程を同一に適用することができる。併せて、本発明の各実施例は、連結状態の端末に対して同一に適用することができる。
【０１００】
図８は、本発明の一実施例に係るＥ―ＭＢＳを用いる基地局が遊休モードの端末にＥ―ＭＢＳ  ＭＡＰを伝送するフレーム構造の他の例を示す図である。
【０１０１】
図８を参照すると、基地局は、今後伝送するＳ―ＳＦＨ  ＳＰ２のパラメーターを変更する場合、これを指示する指示子を含むＥ―ＭＢＳ  ＭＡＰを、変更されたＳ―ＳＦＨ  ＳＰ２が伝送されるＭＳＩが開始される時点で伝送することができる。このとき、Ｅ―ＭＢＳ  ＭＡＰには、Ｓ―ＳＦＨ  ＳＰ２伝送時間オフセット情報を含むことができる。Ｅ―ＭＢＳ  ＭＡＰを受信した遊休モードの端末は、変更されたＳ―ＳＦＨ  ＳＰ２を受信するために、Ｅ―ＭＢＳ  ＭＡＰに含まれた伝送周期オフセット情報が指示する時点でウェイクアップし、変更されたＳ―ＳＦＨ  ＳＰ２を受信してデコーディングすることができる。
【０１０２】
端末は、変更されたＳ―ＳＦＨ  ＳＰ２を受信したので、Ｓ―ＳＦＨ  ＳＰ２に含まれたダウンリンク周波数分割情報（ＤＳＡＣ、ＤＦＰＣ、ＤＦＰＳＣ）に基づいて全体のサブバンドの個数を計算し、次のＥ―ＭＢＳ資源領域を導出することができる。そして、導出したＥ―ＭＢＳ資源領域で次に伝送されるＥ―ＭＢＳ  ＭＡＰの位置を探し、該当のＭＡＰをデコーディングし、以後に伝送されるＥ―ＭＢＳバーストを受信することができる。
【０１０３】
（２．第２の実施例）
本発明の他の実施例によると、端末は、Ｐ―ＳＦＨを介して伝送されるシステム設定情報とＥ―ＭＢＳ  ＭＡＰを介して伝送されるシステム情報とを比較してＳ―ＳＦＨ  ＳＰ２の変更の有無を確認し、変更されたＳ―ＳＦＨ  ＳＰ２を受信することができる。
【０１０４】
図９は、本発明の一実施例に係るＥ―ＭＢＳを用いる基地局が端末にＥ―ＭＢＳを提供する過程の他の例を示す図である。
【０１０５】
図９でも同様に、基地局は、Ｅ―ＭＢＳゾーンに含まれる任意の基地局であって、端末の要請に応じてＥ―ＭＢＳをサポートすることができ、図５で説明したＥ―ＭＢＳ成立のための段階（Ｓ５０１〜Ｓ５０３）が行われたと仮定する。図９で説明したＥ―ＭＢＳ成立に関する段階（Ｓ９０１〜Ｓ９０３）は、図５で説明したＥ―ＭＢＳ成立段階（Ｓ５０１〜Ｓ５０３）に対応し、それに関する同一の説明は、本明細書の簡明さのために省略する。
【０１０６】
図９を参照すると、遊休モードの端末は、ＭＳＩが開始される直前に伝送されるＳ―ＳＦＨ  ＳＰ２を含むスーパーフレームで予めウェイクアップし、Ｐ―ＳＦＨを介して伝送されるＰ―ＳＦＨ  ＩＥを受信し、Ｓ―ＳＦＨの変更の有無を確認することができる（Ｓ９０４）。このとき、伝送されるＰ―ＳＦＨ  ＩＥについては表５を参照して説明する。
【０１０７】
表５は、本発明の一実施例に係るＰ―ＳＦＨ  ＩＥフォーマットの一例を示すものである。
【０１０８】
【表５】
0005667641.tif 000007
表５を参照すると、Ｐ―ＳＦＨ  ＩＥは、スーパーフレームの一部の資源ユニットのナンバーを含む最下位スーパーフレームナンバーフィールド（ＬＳＢ  ｏｆ  ｓｕｐｅｒｆｒａｍｅ  ｎｕｍｂｅｒ）、各Ｓ―ＳＦＨ  ＳＰに対する情報要素（ＩＥ）と関連したＳ―ＳＦＨ変更カウントを指示するＳ―ＳＦＨ変更カウントフィールド（Ｓ―ＳＦＨ  ｃｈａｎｇｅ  ｃｏｕｎｔ）、Ｓ―ＳＦＨに対応するＬＲＵ大きさを指示する大きさフィールド（Ｓ―ＳＦＨ  ｓｉｚｅ）、各Ｓ―ＳＦＨ  ＳＰを伝送するのに用いられる反復伝送フォーマットに関する情報を含むＳ―ＳＦＨ反復個数フィールド（Ｓ―ＳＦＨ  ｎｕｍｂｅｒ  ｏｆ  ｒｅｐｅｔｉｔｉｏｎｓ）、各Ｓ―ＳＦＨ  ＳＰスケジューリングに関する情報を含むビットマップを含むＳ―ＳＦＨスケジューリング情報ビットマップフィールド（Ｓ―ＳＦＨ  ｓｃｈｅｄｕｌｉｎｇ  ｉｎｆｏｒｍａｔｉｏｎ  ｂｉｔｍａｐ）、新しいＳ―ＳＦＨ情報が用いられるスーパーフレームオフセットが開始されるフィールド及び留保領域を含む。
【０１０９】
Ｓ―ＳＦＨ変更カウントフィールドに含まれるビット値は、Ｓ―ＳＦＨ  ＳＰ１  ＩＥでスーパーフレームナンバーのＭＳＢを除いた値のうち一部が変更される度に増加する。連続的に伝送されるＰ―ＳＦＨ  ＩＥに含まれた変更カウントフィールドで指示する変更カウントが以前に伝送されたＰ―ＳＦＨ  ＩＥに含まれた変更カウントと同一である場合、端末は、Ｓ―ＳＦＨ  ＩＥに含まれる各パラメーターが変更されず、該当のスーパーフレームで次に伝送されるＳ―ＳＦＨ  ＩＥは無視するように決定することができる。
【０１１０】
そして、Ｓ―ＳＦＨ変更ビットマップフィールドは、現在のＳ―ＳＦＨ変更カウントと関連して変更されたＳ―ＳＦＨ  ＳＰｘ  ＩＥを指示するビットマップを含む。同様に、Ｓ―ＳＦＨ  ＳＰ１  ＩＥでスーパーフレームナンバーのＭＳＢを除いて、Ｓ―ＳＦＨ  ＳＰｘ  ＩＥを構成する多数のフィールドのうちいずれか一つが変更される場合、該当のＳ―ＳＦＨ  ＳＰｘ  ＩＥに対応するビットはトグルされる。
【０１１１】
したがって、端末が遊休モードである場合、ＭＳＩが開始される前のＳＰ２が伝送される時点でウェイクアップし、表５に例示したようなＰ―ＳＦＨ  ＩＥを受信し、これを通してＳＰ２の変更の有無を判断することができる（Ｓ９０５）。具体的に、受信したＰ―ＳＦＨ  ＩＥ（例えば、ｎ番目のＰ―ＳＦＨ  ＩＥ）に含まれたＳ―ＳＦＨ変更カウント情報と以前に受信したＰ―ＳＦＨ  ＩＥ（例えば、ｍ（ｍ≦ｎ−１）番目のＰ―ＳＦＨ  ＩＥ）に含まれたＳ―ＳＦＨ変更カウント情報とを比較し、これらが同一である場合、各Ｓ―ＳＦＨ  ＳＰに対する変更事項がないと判断することができる。すなわち、ｎ番目のＰ―ＳＦＨ  ＩＥを受信する前に端末が知っているＳ―ＳＦＨ変更カウント情報と更新されたＳ―ＳＦＨ変更カウント情報とを比較し、Ｓ―ＳＦＨの変更の有無を判断することができる。
【０１１２】
ｎ番目のＰ―ＳＦＨ  ＩＥに含まれたＳ―ＳＦＨ変更カウント情報がｍ番目のＰ―ＳＦＨ  ＩＥに含まれたＳ―ＳＦＨ変更カウント情報と同一でない場合、各Ｓ―ＳＦＨ  ＳＰに対する変更事項があると判断し、変更されたＳＰがＳＰ２であるかどうかを判断することができる。
【０１１３】
変更されたＳＰがＳＰ２である場合、該当のスーパーフレームでＳ―ＳＦＨ変更カウント情報及びＳＰ３に含まれたＳＰ２の伝送周期に基づいて変更されたＳＰ２が伝送される時点でウェイクアップし、変更されたＳＰ２を受信してデコーディングすることができる。ＳＰ２が変更された場合、端末は、ＭＳＩに該当するスーパーフレームで変更されたＳＰ２が適用されているかどうかを把握することができる。変更されたＳＰがＳＰ２でない場合、ＳＰ２を受信する必要はなく、変更されたＳＰが伝送される時点でウェイクアップし、該当のＳＰを読んだり、ウェイクアップする状態を継続して維持することができる。
【０１１４】
また、端末は、適用されているシステムバージョン情報によってＥ―ＭＢＳプロシージャを行うが、Ｐ―ＳＦＨに含まれたスケジューリングビットマップを通してＳＰ２が該当のスーパーフレームでスケジューリングされているかどうかを把握することができる。ＳＰ２が該当のスーパーフレームでスケジューリングされていない場合、端末が有している現在のＳＰ２に対するスケジューリング情報（伝送周期）が変更されたと判断することができる。伝送周期のみが含まれたＳＰ３が変更された場合、端末は、ＳＰ３を受信するために毎スーパーフレームをスキャンすることができる。また、ＳＰ３のみならず、ＳＰ２も変更された場合、端末は、ＳＰ２を受信するために毎スーパーフレームをスキャンしなければならない。
【０１１５】
端末は、Ｐ―ＳＦＨに含まれたＳ―ＳＰＨ  ＳＰの変更カウント情報及びＳＰ２の伝送周期に基づいて変更事項が適用されるＳ―ＳＦＨ  ＳＰ２が伝送される時点でウェイクアップし、変更されたＳＰ２を受信することができる（Ｓ９０６）。
【０１１６】
そして、変更されたＳＰ２をデコーディングした端末は、次に伝送されるＥ―ＭＢＳ  ＭＡＰを受信することができる（Ｓ９０７）。このとき、伝送されるＥ―ＭＢＳ  ＭＡＰは、表２で説明した一般的なＥ―ＭＢＳ  ＭＡＰを用いたり、又は表４で説明した本発明の一実施例に係るＳ―ＳＦＨ  ＳＰ２変更指示子を含むＥ―ＭＢＳ  ＭＡＰを用いることができる。
【０１１７】
Ｅ―ＭＢＳ  ＭＡＰを読んでデコーディングを行った端末は、以後に基地局から伝送される一つ以上のＥ―ＭＢＳバーストを受信することができる（Ｓ９０８）。
【０１１８】
図１０は、本発明の一実施例に係るＥ―ＭＢＳを用いる基地局が遊休モードの端末にＥ―ＭＢＳ  ＭＡＰを伝送するフレーム構造の更に他の例を示す図である。
【０１１９】
図１０を参照すると、端末は、ＭＳＩが開始される前にＳＰ２が伝送されるスーパーフレームで予めウェイクアップし、Ｐ―ＳＦＨを読むことができる。このとき、Ｐ―ＳＦＨにＳ―ＳＦＨ変更カウント情報が含まれている場合、端末は、これを図９で説明したように以前に伝送されたＰ―ＳＦＨに含まれた変更カウント情報と比較し、ＳＰ２に関するパラメーターの変更の有無を判断することができる。ＳＰ２が変更されたと判断した場合、遊休モードの端末は、Ｓ―ＳＦＨ  ＳＰ２変更カウント情報及びＳＰ３を通して獲得したＳＰ２伝送周期に基づいて変更事項が適用されたＳＰ２の伝送時点でウェイクアップし、変更されたＳＰ２を受信してデコーディングすることができる。
【０１２０】
端末は、変更されたＳ―ＳＦＨ  ＳＰ２を受信したので、Ｓ―ＳＦＨ  ＳＰ２に含まれたダウンリンク周波数分割情報（ＤＳＡＣ、ＤＦＰＣ、ＤＦＰＳＣ）に基づいて全体のサブバンドの個数を計算し、次のＥ―ＭＢＳ資源領域を導出することができる。そして、導出したＥ―ＭＢＳ資源領域で次に伝送されるＥ―ＭＢＳ  ＭＡＰの位置を探して該当のＭＡＰをデコーディングし、以後に伝送されるＥ―ＭＢＳバーストを受信することができる。
【０１２１】
（３．第３の実施例）
Ｅ―ＭＢＳゾーンに属した基地局は、所定周期で伝送するＥ―ＭＢＳ  ＭＡＰに現在のＭＳＩ内で適用されているシステム情報のバージョン情報を含むことができる。したがって、これを受信した端末は、Ｅ―ＭＢＳ  ＭＡＰを通して該当のスーパーフレームに適用されるシステム情報のバージョン情報を知ることができるので、ＭＳＩが開始される前に予めＰ―ＳＦＨを確認しないことがある。
【０１２２】
本発明の更に他の実施例によると、基地局は、システム情報のバージョン情報の一例として、変更されるＳ―ＳＦＨの変更カウント情報をＥ―ＭＢＳ  ＭＡＰに含ませて端末に伝送することができる。
【０１２３】
図１１は、本発明の一実施例に係るＥ―ＭＢＳを用いる基地局が端末にＥ―ＭＢＳを提供する過程の更に他の例を示す図である。
【０１２４】
図１１でも同様に、基地局は、Ｅ―ＭＢＳゾーンに含まれる任意の基地局であって、端末の要請に応じてＥ―ＭＢＳをサポートすることができ、図５で説明したＥ―ＭＢＳ成立のための段階（Ｓ５０１〜Ｓ５０３）が行われたと仮定する。図１１で説明したＥ―ＭＢＳ成立に関する段階（Ｓ１１０１〜Ｓ１１０３）は、図５で説明したＥ―ＭＢＳ成立遂行段階（Ｓ５０１〜Ｓ５０３）に対応し、それに関する同一の説明は、本明細書の簡明さのために省略する。
【０１２５】
図１１を参照すると、基地局は、所定周期でＥ―ＭＢＳ  ＭＡＰを伝送するが、このとき、システム情報のバージョン情報の一例としてＳ―ＳＦＨ変更カウント情報を含ませることができる。Ｅ―ＭＢＳ連結が成立されると、端末は、Ｅ―ＭＢＳ  ＭＡＰを受信して読むことができ、このとき、Ｅ―ＭＢＳ  ＭＡＰに含まれたＳ―ＳＦＨ変更カウント情報を把握することができる（Ｓ１１０４）。本発明の他の実施例によって構成されるＥ―ＭＢＳ  ＭＡＰは、表６のように構成することができる。
【０１２６】
表６は、本発明の一実施例に係るＥ―ＭＢＳ  ＭＡＰフォーマットの他の例を示すものである。
【０１２７】
【表６】
0005667641.tif 000008
表６に例示したＥ―ＭＢＳ  ＭＡＰは、一般的に使用するＥ―ＭＢＳ  ＭＡＰにＳ―ＳＦＨ変更カウント情報を含むＳ―ＳＦＨ変更カウントフィールドを追加したもので、他のフィールドに対する説明は表２で説明したので、同一の説明は省略する。一方、これと異なり、表４で説明した本発明の実施例に係るＥ―ＭＢＳ  ＭＡＰにＳ―ＳＦＨ変更カウントフィールドを追加することもできる。
【０１２８】
表６に例示したＥ―ＭＢＳ  ＭＡＰを受信した端末は、端末が本来知っていたＳ―ＳＦＨ変更カウント情報とＥ―ＭＢＳ  ＭＡＰを通して獲得したＳ―ＳＦＨ変更カウント情報とを比較し、Ｓ―ＳＦＨ  ＳＰｘに対する変更の有無及びＳＰ２の変更の有無を判断することができる（Ｓ１１０５）。すなわち、図９で説明した段階Ｓ９０５と同様に、端末が知っているＳ―ＳＦＨ変更カウント情報と更新されたＳ―ＳＦＨ変更カウント情報とを比較し、これらが同一である場合、変更されたＳ―ＳＦＨ  ＳＰがないと判断し、一般的なＥ―ＭＢＳプロシージャを行うことができる。
【０１２９】
端末が以前に受信したＳ―ＳＦＨ変更カウント情報が段階Ｓ１１０４で受信したＥ―ＭＢＳ  ＭＡＰに含まれたＳ―ＳＦＨ変更カウント情報と同一でない場合、各Ｓ―ＳＦＨ  ＳＰに対する変更事項があると判断し、変更されたＳＰがＳＰ２であるかどうかを判断することができる。変更されたＳＰがＳＰ２である場合、遊休モードの端末は、該当のスーパーフレームでＳ―ＳＦＨ変更カウント情報及びＳＰ３に含まれたＳＰ２の伝送周期に基づいて変更されたＳＰ２が伝送される時点でウェイクアップし、変更されたＳＰ２を受信してデコーディングすることができる。また、ＳＰ２が変更された場合、端末は、ＭＳＩに該当するスーパーフレームで変更されたＳＰ２が適用されているかどうかも把握することができる。
【０１３０】
したがって、遊休モードの端末は、変更されたＳＰ２が伝送される時点でウェイクアップし、変更されたＳＰ２を受信してデコーディングすることができる（Ｓ１１０６）。
【０１３１】
その後、ＳＰ２に含まれたダウンリンク周波数情報に基づいて次に伝送されるＥ―ＭＢＳ  ＭＡＰの位置を探し、Ｅ―ＭＢＳ  ＭＡＰに含まれた情報に基づいて以後に伝送されるＥ―ＭＢＳバーストを受信することができる（Ｓ１１０７）。
【０１３２】
図１２は、本発明の一実施例に係るＥ―ＭＢＳを用いる基地局が遊休状態の端末にＥ―ＭＢＳ  ＭＡＰを伝送するフレーム構造の更に他の例を示す図である。
【０１３３】
図１２を参照すると、基地局は、Ｓ―ＳＦＨ変更カウント情報を含むＥ―ＭＢＳ  ＭＡＰを変更されたＳ―ＳＦＨ  ＳＰ２が伝送されるＭＳＩが開始される時点で伝送することができる。これを受信した遊休モードの端末は、ＳＰ２の変更の有無を判断し、ＳＰ２が変更された場合、Ｓ―ＳＦＨ変更カウント情報とＳＰ３を通して獲得したＳＰ２の伝送周期に基づいて変更されたＳＰ２が伝送される時点を判断することができる。そして、変更されたＳＰ２が伝送される時点で一時的にウェイクアップし、変更されたＳＰ２を受信してデコーディングすることができる。
【０１３４】
端末は、変更されたＳ―ＳＦＨ  ＳＰ２を受信したので、Ｓ―ＳＦＨ  ＳＰ２に含まれたダウンリンク周波数分割情報（ＤＳＡＣ、ＤＦＰＣ、ＤＦＰＳＣ）に基づいて全体のサブバンドの個数を計算し、次のＥ―ＭＢＳ資源領域を導出することができる。そして、導出したＥ―ＭＢＳ資源領域で次に伝送されるＥ―ＭＢＳ  ＭＡＰの位置を探して該当のＭＡＰをデコーディングし、以後に伝送されるＥ―ＭＢＳバーストを受信することができる。
【０１３５】
以上では、本発明の各実施例に係るＳ―ＳＦＨアップデート方法を副スーパーフレームヘッダーのサブパケットのうちＳＰ２に対する一例として説明した。
【０１３６】
さらに、本発明の各実施例は、Ｓ―ＳＦＨ  ＳＰ２のみならず、Ｐ―ＳＦＨ、Ｓ―ＳＦＨ  ＳＰ１、ＳＰ３を通して伝送するパラメーターが変更される場合にも同一又は類似する形で適用することができる。
【０１３７】
また、全体のスーパーフレームヘッダーに対するアップデート可否を指示する方法で使用することができる。例えば、前記表４で説明したＳ―ＳＦＨ  ＳＰ更新指示子（Ｓ―ＳＦＨ  ＳＰ  ｕｐｄａｔｅ  ｉｎｄｉｃａｔｏｒ）は、スーパーフレーム更新指示子（ＳＦＨ  ｕｐｄａｔｅ  ｉｎｄｉｃａｔｏｒ）に取り替えることができる。このとき、スーパーフレーム更新指示子は、主スーパーフレームヘッダー及び副スーパーフレームヘッダーの各サブパケットＳＰ１、ＳＰ２、ＳＰ３のうち少なくとも一つのＥ―ＭＢＳと関連したパラメーターが変更されることを指示する。また、スーパーフレームヘッダーに含まれるパラメーターの変更によって端末がＥ―ＭＢＳ領域を読むことができず、Ｅ―ＭＢＳマップ及びＥ―ＭＢＳバーストを受信できない場合、基地局は、変更されたスーパーフレームヘッダーが伝送される時点を示す伝送時間オフセットフィールドをＥ―ＭＢＳ  ＭＡＰに含ませることができる。
【０１３８】
次に、図１３は、本発明の更に他の実施例として、上述した本発明の各実施例を行える端末及び基地局を説明するためのブロック構成図である。
【０１３９】
端末は、アップリンクでは送信装置として動作し、ダウンリンクでは受信装置として動作することができる。また、基地局は、アップリンクでは受信装置として動作し、ダウンリンクでは送信装置として動作することができる。すなわち、端末及び基地局は、情報又はデータの伝送のために送信装置及び受信装置を含むことができる。
【０１４０】
送信装置及び受信装置は、本発明の各実施例を行うためのプロセッサ、モジュール、部分及び／又は手段などを含むことができる。特に、送信装置及び受信装置は、メッセージを暗号化するためのモジュール（手段）、暗号化されたメッセージを解釈するためのモジュール、メッセージを送受信するためのアンテナなどを含むことができる。
【０１４１】
図１３を参照すると、左側は送信装置の構造を示し、右側は受信装置の構造を示し、上述した本発明の各実施例を行うために、送信装置としては基地局を例に挙げ、受信装置としては端末を例に挙げることができる。
【０１４２】
送信装置と受信装置は、それぞれアンテナ、受信モジュール１３１０、１３２０、プロセッサ１３３０、１３４０、送信モジュール１３５０、１３６０及びメモリ１３７０、１３８０を含むことができる。
【０１４３】
アンテナは、外部から無線信号を受信して受信モジュール１３１０、１３２０に伝達する機能を行う受信アンテナと、送信モジュール１３５０、１３６０で生成された信号を外部に伝送する送信アンテナとで構成される。アンテナは、多重アンテナ（ＭＩＭＯ）機能がサポートされる場合は２個以上を備えることができる。
【０１４４】
受信モジュール１３１０、１３２０は、外部からアンテナを介して受信された無線信号に対する復号及び復調を行い、原本データの形態で復元してプロセッサ１３３０、１３４０に伝達することができる。また、受信モジュールとアンテナは、図１３に示したように分離せず、無線信号を受信するための受信部で示すこともできる。
【０１４５】
プロセッサ１３３０、１３４０は、通常、送信装置又は受信装置の全般的な動作を制御する。特に、上述した本発明の各実施例を行うためのコントローラ機能、サービス特性及び電波環境によるＭＡＣ（Ｍｅｄｉｕｍ  Ａｃｃｅｓｓ  Ｃｏｎｔｒｏｌ）フレーム可変制御機能、ハンドオーバー機能、認証及び暗号化機能などを行うことができる。
【０１４６】
送信モジュール１３５０、１３６０は、プロセッサ１３３０、１３４０からスケジューリングされて外部に伝送されるデータに対して所定の符号化及び変調を行った後、これをアンテナに伝達することができる。また、送信モジュールとアンテナは、図１３に示したように分離せず、無線信号を伝送するための送信部で示すことができる。
【０１４７】
メモリ１３７０、１３８０は、プロセッサ１３３０、１３４０の処理及び制御のためのプログラムを格納することもでき、入／出力される各データ（移動端末の場合、基地局から割り当てられたアップリンクグラント（ＵＬ  ｇｒａｎｔ）、システム情報、ＳＴＩＤ（ｓｔａｔｉｏｎ  ｉｄｅｎｔｉｆｉｅｒ）、ＦＩＤ（ｆｌｏｗ  ｉｄｅｎｔｉｆｉｅｒ）、動作時間などの臨時格納のための機能を行うこともできる。また、メモリ１３７０、１３８０は、フラッシュメモリタイプ、ハードディスクタイプ、マルチメディアカードマイクロタイプ、カードタイプのメモリ（例えば、ＳＤ又はＸＤメモリなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ―Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ―Ｏｎｌｙ  Ｍｅｍｏｒｙ）、ＰＲＯＭ（Ｐｒｏｇｒａｍｍａｂｌｅ  Ｒｅａｄ―Ｏｎｌｙ  Ｍｅｍｏｒｙ）、磁気メモリ、磁気ディスク、光ディスクのうち少なくとも一つのタイプの格納媒体を含むことができる。
【０１４８】
送信装置のプロセッサ１３３０は、送信装置に対する全般的な制御動作を行い、受信装置にＥ―ＭＢＳサービスを提供するために必要な制御動作を行うことができる。また、図７〜図１２で説明した本発明の各実施例によって遊休モードの端末がＥ―ＭＢＳバーストを受信できるように制御動作を行うことができる。
【０１４９】
受信装置のプロセッサ１３４０も、受信装置の全般的な制御動作を行う。例えば、本発明の各実施例によってＥ―ＭＢＳを用いるとき、遊休モードにある受信装置が信号受信のためにウェイクアップできるように状態モードに関する制御動作を行う。同様に、図７〜図１２で説明した本発明の各実施例に係る動作を行う。
【０１５０】
本発明の各実施例で使用される端末は、低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）モジュールを含むことができる。また、端末は、上述した本発明の各実施例を行うためのコントローラ機能、サービス特性及び電波環境によるＭＡＣ（Ｍｅｄｉｕｍ  Ａｃｃｅｓｓ  Ｃｏｎｔｒｏｌ）フレーム可変制御機能、ハンドオーバー機能、認証及び暗号化機能、データ伝送のためのパケット変復調機能、高速パケットチャンネルコーディング機能及び実時間モデム制御機能などを行う手段、モジュール又は部分などを含むことができる。
【０１５１】
基地局は、上位階層から受信したデータを無線又は有線で端末に伝送することができる。基地局は、低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）モジュールを含むことができる。また、基地局は、上述した本発明の各実施例を行うためのコントローラ機能、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及びチャンネル多重化機能、サービス特性及び電波環境によるＭＡＣフレーム可変制御機能、高速トラフィック実時間制御機能、ハンドオーバー機能、認証及び暗号化機能、データ伝送のためのパケット変復調機能、高速パケットチャンネルコーディング機能及び実時間モデム制御機能などを行う手段、モジュール又は部分などを含むことができる。
【０１５２】
本発明は、本発明の精神及び必須特徴を逸脱しない範囲で他の特定の形態で具体化することができる。したがって、前記の詳細な説明は、全ての面で制限的に解釈してはならなく、例示的なものとして考慮しなければならない。本発明の範囲は、添付の請求項の合理的解釈によって決定しなければならなく、本発明の等価的範囲内での全ての変更は本発明の範囲に含まれる。また、特許請求の範囲で明示的な引用関係のない各請求項を結合して実施例を構成したり、出願後の補正によって新しい請求項を含ませることができる。
【産業上の利用可能性】
【０１５３】
本発明の各実施例は、多様な無線接続システムに適用することができる。多様な無線接続システムの例としては、３ＧＰＰ（３ｒｄ  Ｇｅｎｅｒａｔｉｏｎ  Ｐａｒｔｎｅｒｓｈｉｐ  Ｐｒｏｊｅｃｔ）システム、３ＧＰＰ２システム及び／又はＩＥＥＥ８０２．ｘｘ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどを挙げることができる。本発明の各実施例は、前記接続システムの他にも、前記各接続システムが適用される全ての技術分野に適用することができる。
【図１】
0005667641.tif 000009
【図２】
0005667641.tif 000010
【図３】
0005667641.tif 000011
【図４】
0005667641.tif 000012
【図５】
0005667641.tif 000013
【図６】
0005667641.tif 000014
【図７】
0005667641.tif 000015
【図８】
0005667641.tif 000016
【図１０】
0005667641.tif 000017
【図１２】
0005667641.tif 000018
【図１３】
0005667641.tif 000019
【図９】
0005667641.tif 000020
【図１１】
0005667641.tif 000021